(57)【特許請求の範囲】
【請求項１】
サービス処理方法であって、
アクセスネットワークデバイスによって、コアネットワークデバイスから、ボイス・オーバー・ロング・ターム・エボリューション(VoLTE)サービスのベアラセットアップ要求メッセージを受信するステップと、
前記アクセスネットワークデバイスによって、前記VoLTEサービスの端末のロング・ターム・エボリューションネットワーク信号品質が前記VoLTEサービスを満足することができないと前記アクセスネットワークデバイスが決定した場合に、前記ベアラセットアップ要求メッセージを拒否するステップと
を含み、
前記VoLTEサービスの前記端末の前記ロング・ターム・エボリューションネットワーク信号品質が前記VoLTEサービスを満足することができないと前記アクセスネットワークデバイスが決定することは、前記端末が前記アクセスネットワークデバイスの電波の弱いカバレッジエリア内にあると前記アクセスネットワークデバイスが決定することを含み、
前記アクセスネットワークデバイスによって、前記ベアラセットアップ要求メッセージを拒否するステップは、前記アクセスネットワークデバイスによって、前記コアネットワークデバイスを介して、前記VoLTEサービスのベアラセットアップ失敗の要因値をインターネットプロトコルマルチメディアサブシステム(IMS)に送信するステップであって、前記要因値は、Radio resources not availableであるとともに、回線交換フォールバックコールを開始するように前記端末をトリガするメッセージを前記端末に送信し、前記端末の前記VoLTEサービスを中止するように前記IMSによって使用される、方法。
【請求項２】
前記端末は、前記VoLTEサービスの発呼端末である、請求項1に記載の方法。
【請求項３】
前記VoLTEサービスのベアラは、サービス品質クラス識別子QCI=1のベアラである、請求項1または2に記載の方法。
【請求項４】
前記ベアラセットアップ要求メッセージを拒否するステップの前に、前記方法は、前記アクセスネットワークデバイスによって、前記端末が回線交換ドメインに登録済みであったと決定するステップをさらに含む、請求項1から3のいずれか一項に記載の方法。
【請求項５】
前記方法は、前記アクセスネットワークデバイスによって、前記コアネットワークデバイスから通知メッセージを受信するステップであって、前記通知メッセージは、前記端末が前記回線交換ドメインに登録済みであったことを示すために使用される指示情報を搬送する、ステップをさらに含み、前記アクセスネットワークデバイスは、前記通知メッセージに基づいて、前記端末が前記回線交換ドメインに登録済みであったと決定する、請求項4に記載の方法。
【請求項６】
前記アクセスネットワークデバイスによって、コアネットワークデバイスから、VoLTEサービスのベアラセットアップ要求メッセージを受信するステップの後、且つ、前記ベアラセットアップ要求メッセージを拒否するステップの前に、前記方法は、前記アクセスネットワークデバイスによって、前記端末の2G/3Gのネットワーク信号品質が音声サービスを満足していると決定するステップをさらに含む、請求項4または5に記載の方法。
【請求項７】
前記アクセスネットワークデバイスによって、コアネットワークデバイスから、VoLTEサービスのベアラセットアップ要求メッセージを受信するステップの後に、前記方法は、前記アクセスネットワークデバイスによって、第2の測定制御命令を前記端末に送信するステップであって、前記第2の測定制御命令は、前記2G/3Gのネットワーク信号品質を測定するように前記端末に命令するために使用される、ステップと、前記アクセスネットワークデバイスによって、前記第2の測定制御命令に応答して前記端末によって送信された第2の測定レポートを受信するステップであって、前記第2の測定レポートは、前記端末の2G/3Gのネットワークダウンリンク信号品質パラメータを搬送する、ステップと
をさらに含む、請求項6に記載の方法。
【請求項８】
コアネットワークデバイス、インターネットプロトコルマルチメディアサブシステム(IMS)、およびアクセスネットワークデバイスを含み、前記アクセスネットワークデバイスは、請求項1から7のいずれか一項に記載の方法を行うように構成される、通信システム。
【発明の詳細な説明】
【技術分野】
【０００１】
本発明は、通信技術の分野に関し、特に、サービス処理方法、サービス処理装置、および通信システムに関する。
【背景技術】
【０００２】
ロング・ターム・エボリューション(LTE、Long Term Evolution)ネットワークの音声サービスは、ボイス・オーバー・LTE(VoLTE、Voice over LTE)サービスと称する。現在では、より多くの事業者が商用利用にVoLTEを活用することを開始しており、より多くのユーザ端末がVoLTEサービスをサポートすること可能としている。VoLTEサービスのメディアデータは、LTEネットワーク内のユーザプレーン専用ベアラ上で搬送されている(現時点では、サービス品質クラス識別子=1の専用ベアラが使用されることが標準規格に定義されている)。一般的に、LTEネットワークパフォーマンスに関するVoLTEサービスの要件は、データサービスのものより高い。
【０００３】
既存の機構においては、VoLTEサービス作成プロセスは、セルのリソースが十分であるかどうかに主に従って実施され、VoLTEを満足することができるリソースをセル全体がまだ有している場合に、VoLTEサービスの専用ベアラが確立される。しかしながら、いくつかのシナリオにおいては、既存の機構に基づいて確立されたVoLTEサービスは、安定性の点で劣っており、そのことが、ときにはユーザの通話体験に深刻な影響を及ぼす。
【発明の概要】
【課題を解決するための手段】
【０００４】
本発明の実施形態は、確立されるVoLTEサービスの安定性を改善し、それによって、ユーザの通話体験を改善する、サービス処理方法、関連する装置、および通信システムを提供している。
【０００５】
本発明の実施形態の第1の態様は、サービス処理方法を提供しており、サービス処理方法は、
アクセスネットワークデバイスによって、VoLTEサービスのコアネットワークデバイスからベアラセットアップ要求メッセージを受信するステップと、
アクセスネットワークデバイスによって、VoLTEサービスの端末のLTEネットワーク信号品質がVoLTEサービスを満足することができないと決定した場合には、ベアラセットアップ要求メッセージを拒否するステップとを含む。
【０００６】
第1の態様に準拠している、第1の態様の第1の可能な実施方式においては、ベアラセットアップ要求メッセージを拒否するステップは、ベアラセットアップ要求メッセージを拒否するための応答メッセージをコアネットワークデバイスに送信するステップであって、応答メッセージは、回線交換フォールバックコールを開始するように端末をトリガするためにコアネットワークデバイスによって使用される、ステップを含む。
【０００７】
第1の態様の第1の可能な実施方式に準拠している、第1の態様の第2の可能な実施方式においては、応答メッセージは、VoLTEサービスのベアラセットアップ失敗に関する要因値を搬送する。
【０００８】
第1の態様の第1の可能な実施方式または第1の態様の第2の可能な実施方式に準拠している、第1の態様の第3の可能な実施方式においては、ベアラセットアップ要求メッセージを拒否するための応答メッセージをコアネットワークデバイスに送信するステップは、ベアラセットアップ要求メッセージの応答メッセージを移動性管理ネットワーク要素MMEに送信するステップを含み、応答メッセージは、インターネットプロトコルマルチメディアサブシステムIMSに、回線交換フォールバックコールを開始するように端末をトリガさせる。
【０００９】
第1の態様または第1の態様の第1の可能な実施方式または第1の態様の第2の可能な実施方式または第1の態様の第3の可能な実施方式に準拠している、第1の態様の第4の可能な実施方式においては、アクセスネットワークデバイスは、VoLTEサービスの端末のLTEネットワークアップリンク信号品質パラメータおよび/またはLTEネットワークダウンリンク信号品質パラメータに基づいて、端末のLTEネットワーク信号品質がVoLTEサービスを満足することができないと決定する。
【００１０】
第1の態様の第4の可能な実施方式に準拠している、第1の態様の第5の可能な実施方式においては、端末のLTEネットワークアップリンク信号品質パラメータは、端末のLTEネットワークアップリンク信号強度、端末のLTEネットワークアップリンク信号対雑音比、または端末のLTEネットワークアップリンクパケットロスレートのうちの少なくとも1つを含む。
【００１１】
第1の態様の第4の可能な実施方式または第1の態様の第5の可能な実施方式に準拠している、第1の態様の第6の可能な実施方式においては、端末のLTEネットワークダウンリンク信号品質パラメータは、端末のLTEネットワークダウンリンク信号強度、端末のLTEネットワークダウンリンク信号対雑音比、または端末のダウンリンクパケットロスレートのうちの少なくとも1つを含む。
【００１２】
第1の態様の第4の可能な実施方式または第1の態様の第5の可能な実施方式または第1の態様の第6の可能な実施方式に準拠している、第1の態様の第7の可能な実施方式においては、アクセスネットワークデバイスによって、コアネットワークデバイスから、VoLTEサービスのベアラセットアップ要求メッセージを受信するステップの後に、方法は、
アクセスネットワークデバイスによって、第1の測定制御命令を端末に送信するステップと、アクセスネットワークデバイスによって、第1の測定制御命令に応答して端末によって送信された第1の測定レポートを受信するステップであって、第1の測定レポートは、端末のLTEネットワークダウンリンク信号品質パラメータを搬送する、ステップとをさらに含み、第1の測定制御命令は、LTEネットワーク信号品質を測定するように端末に命令するために使用され得る。
【００１３】
第1の態様または第1の態様の第1から第7の可能な実施方式のうちの任意の可能な実施方式に準拠している、第1の態様の第8の可能な実施方式においては、端末は、VoLTEサービスの発呼端末または被呼端末である。
【００１４】
第1の態様または第1の態様の第1から第8の可能な実施方式のうちの任意の可能な実施方式に準拠している、第1の態様の第9の可能な実施方式においては、端末は、VoLTEサービスの発呼端末または被呼端末であり、VoLTEサービスのベアラは、サービス品質クラス識別子QCI=1のベアラである。
【００１５】
第1の態様または第1の態様の第1から第9の可能な実施方式のうちの任意の可能な実施方式に準拠している、第1の態様の第10の可能な実施方式においては、ベアラセットアップ要求メッセージを拒否するステップの前に、方法は、アクセスネットワークデバイスによって、端末が回線交換ドメインに登録済みであったと決定するステップをさらに含む。
【００１６】
第1の態様の第10の可能な実施方式に準拠している、第1の態様の第11の可能な実施方式においては、方法は、
アクセスネットワークデバイスによって、コアネットワークデバイスから通知メッセージを受信するステップであって、通知メッセージは、端末が回線交換ドメインに登録済みであったことを示すために使用される指示情報を搬送する、ステップをさらに含み、アクセスネットワークデバイスは、通知メッセージに基づいて、端末が回線交換ドメインに登録済みであったと決定する。
【００１７】
第1の態様の第10の可能な実施方式または第1の態様の第11の可能な実施方式に準拠している、第1の態様の第12の可能な実施方式においては、アクセスネットワークデバイスによって、コアネットワークデバイスから、VoLTEサービスのベアラセットアップ要求メッセージを受信するステップの後、且つ、ベアラセットアップ要求メッセージを拒否するステップの前に、方法は、アクセスネットワークデバイスによって、端末の2G/3Gのネットワーク信号品質が音声サービスを満足していると決定するステップをさらに含む。
【００１８】
第1の態様の第12の可能な実施方式に準拠している、第1の態様の第13の可能な実施方式においては、
アクセスネットワークデバイスによって、コアネットワークデバイスから、VoLTEサービスのベアラセットアップ要求メッセージを受信するステップの後に、方法は、アクセスネットワークデバイスによって、第2の測定制御命令を端末に送信するステップであって、第2の測定制御命令は、2G/3Gのネットワーク信号品質を測定するように端末に命令するために使用される、ステップと、アクセスネットワークデバイスによって、第2の測定制御命令に応答して端末によって送信された第2の測定レポートを受信するステップであって、第2の測定レポートは、端末の2G/3Gのネットワークダウンリンク信号品質パラメータを搬送する、ステップとをさらに含む。
【００１９】
本発明の実施形態の第2の態様は、サービス処理方法を提供しており、サービス処理方法は、
端末によって、インターネットプロトコルマルチメディアサブシステムIMSネットワークから、VoLTEサービスのコール要求メッセージを受信するステップと、
端末によって、端末のLTEネットワーク信号品質がVoLTEサービスを満足することができないと決定した場合には、コール要求メッセージを拒否するステップとを含む。
【００２０】
第2の態様に準拠している、第2の態様の第1の可能な実施方式においては、
コール要求メッセージを拒否するステップは、端末によって、コール要求メッセージを拒否するための応答メッセージをIMSネットワークに送信するステップであって、応答メッセージは、回線交換フォールバックコールを開始するように端末をトリガするためにIMSネットワークにおいて使用される、ステップを含む。
【００２１】
第2の態様または第2の態様の第1の可能な実施方式に準拠している、第2の態様の第2の可能な実施方式においては、端末は、端末のLTEネットワークアップリンク信号品質パラメータおよび/またはLTEネットワークダウンリンク信号品質パラメータに基づいて、端末のLTEネットワーク信号品質がVoLTEサービスを満足することができないと決定する。
【００２２】
第2の態様の第2の可能な実施方式に準拠している、第2の態様の第3の可能な実施方式においては、端末のLTEネットワークアップリンク信号品質パラメータは、端末のLTEネットワークアップリンク信号強度、端末のLTEネットワークアップリンク信号対雑音比、または端末のLTEネットワークアップリンクパケットロスレートのうちの少なくとも1つを含む。
【００２３】
第2の態様の第2の可能な実施方式または第2の態様の第3の可能な実施方式に準拠している、第2の態様の第4の可能な実施方式においては、端末のLTEネットワークダウンリンク信号品質パラメータは、端末のLTEネットワークダウンリンク信号強度、端末のLTEネットワークダウンリンク信号対雑音比、または端末のLTEネットワークダウンリンクパケットロスレートのうちの少なくとも1つを含む。
【００２４】
第2の態様または第2の態様の第1から第4の可能な実施方式のうちの任意の可能な実施方式に準拠している、第2の態様の第5の可能な実施方式においては、コール要求メッセージは、招待(invite)メッセージである。
【００２５】
第2の態様の第5の可能な実施方式に準拠している、第2の態様の第6の可能な実施方式においては、応答メッセージは、一時的に利用不可能な応答メッセージである。
【００２６】
本発明の実施形態の第3の態様は、サービス処理方法を提供しており、サービス処理方法は、
端末によって、VoLTEサービスを確立するように命令するユーザ命令を受信するステップと、
端末によって、端末のLTEネットワーク信号品質がVoLTEサービスを満足することができないと決定した場合には、回線交換ドメインにおいてVoLTEサービスの被呼端末に発呼するステップとを含み得るし、
例えば、回線交換ドメインは、2G/3Gのネットワークおよび/またはCDMAネットワークの1xRTTネットワークの回線交換ドメインを含む。
【００２７】
第3の態様に準拠している、第3の態様の第1の可能な実施方式においては、端末は、端末のLTEネットワークアップリンク信号品質パラメータおよび/またはLTEネットワークアップリンク信号品質パラメータに基づいて、端末のLTEネットワーク信号品質がVoLTEサービスを満足することができないと決定する。
【００２８】
第3の態様の第1の可能な実施方式に準拠している、第2の態様の第2の可能な実施方式においては、端末のLTEネットワークアップリンク信号品質パラメータは、端末のLTEネットワークアップリンク信号強度、端末のLTEネットワークアップリンク信号対雑音比、または端末のLTEネットワークアップリンクパケットロスレートのうちの少なくとも1つを含む。
【００２９】
第3の態様の第1の可能な実施方式または第3の態様の第2の可能な実施方式に準拠している、第3の態様の第3の可能な実施方式においては、端末のLTEネットワークダウンリンク信号品質パラメータは、端末のLTEネットワークダウンリンク信号強度、端末のLTEネットワークダウンリンク信号対雑音比、または端末のLTEネットワークダウンリンクパケットロスレートのうちの少なくとも1つを含む。
【００３０】
第3の態様または第3の態様の第1から第3の可能な実施方式のうちの任意の可能な実施方式に準拠している、第3の態様の第4の可能な実施方式においては、VoLTEサービスを確立するように命令するユーザ命令を受信するステップの後に、
方法は、端末によって、端末のLTEネットワークダウンリンク信号品質パラメータを取得するために、LTEネットワークダウンリンク信号品質を測定するステップをさらに含む。
【００３１】
第3の態様または第3の態様の第1から第4の可能な実施方式のうちの任意の可能な実施方式に準拠している、第3の態様の第5の可能な実施方式においては、回線交換ドメインにおいてVoLTEサービスの被呼端末に発呼するステップの前に、方法は、端末によって、端末が回線交換ドメインに登録済みであったと決定するステップをさらに含む。
【００３２】
第3の態様または第3の態様の第1から第4の可能な実施方式のうちの任意の可能な実施方式に準拠している、第3の態様の第6の可能な実施方式においては、回線交換ドメインにおいてVoLTEサービスの被呼端末に発呼するステップの前に、方法は、端末によって、端末が回線交換ドメインに登録済みではなかった場合には、回線交換ドメインに登録するステップをさらに含む。
【００３３】
第3の態様の第6の可能な実施方式に準拠している、第3の態様の第7の可能な実施方式においては、端末によって、回線交換ドメインに登録するステップは、端末によって、複合アタッチ方式で回線交換ドメインに登録するステップ、または、端末によって、リセレクションプロセスにより回線交換ドメインにキャンプオンし、回線交換ドメインに登録するステップを含む。
【００３４】
第3の態様の第5から第7の可能な実施方式のうちの任意の可能な実施方式に準拠している、第3の態様の第8の可能な実施方式においては、回線交換ドメインにおいてVoLTEサービスの被呼端末に発呼するステップの前に、方法は、端末によって、回線交換ドメインのネットワーク信号品質が音声サービスを満足していると決定するステップをさらに含む。
【００３５】
第3の態様または第3の態様の第1から第8の可能な実施方式のうちの任意の可能な実施方式に準拠している、第3の態様の第9の可能な実施方式においては、端末によって、回線交換ドメインにおいてVoLTEサービスの被呼端末に発呼するステップの前に、端末の信号品質がVoLTEサービスを満足することができないと決定した場合には、方法は、端末によって、Long Term Evolutionネットワークから通知メッセージを受信するステップであって、通知メッセージは、端末のLong Term Evolutionネットワークアップリンク信号品質パラメータおよび/またはLong Term Evolutionネットワークダウンリンク信号品質パラメータを搬送し、通知メッセージは、端末のLong Term Evolutionネットワーク信号品質がVoLTEサービスを満足することができないと決定するために端末によって使用される、ステップをさらに含む。
【００３６】
第3の態様の第9の可能な実施方式に準拠している、第3の態様の第10の可能な実施方式においては、通知メッセージは、Long Term Evolutionネットワークのアクセスネットワークデバイスからのものである。
【００３７】
本発明の実施形態の第4の態様は、アクセスネットワークデバイスを提供しており、アクセスネットワークデバイスは、
コアネットワークデバイスから、VoLTEサービスのベアラセットアップ要求メッセージを受信するように構成される、受信ユニットと、
VoLTEサービスの端末のLTEネットワーク信号品質がVoLTEサービスを満足することができないと決定した場合には、ベアラセットアップ要求メッセージを拒否するように構成される、サービス制御ユニットとを含む。
【００３８】
第4の態様に準拠している、第4の態様の第1の可能な実施方式においては、サービス制御ユニットは、VoLTEサービスの端末のLTEネットワーク信号品質がVoLTEサービスを満足することができないと決定した場合には、ベアラセットアップ要求メッセージを拒否するための応答メッセージをコアネットワークデバイスに送信するように特に構成され、応答メッセージは、回線交換フォールバックコールを開始するように端末をトリガするためにコアネットワークデバイスによって使用される。
【００３９】
第4の態様の第1の可能な実施方式に準拠している、第4の態様の第2の可能な実施方式においては、応答メッセージは、VoLTEサービスのベアラセットアップ失敗に関する要因値を搬送する。
【００４０】
第4の態様の第1の可能な実施方式または第4の態様の第2の可能な実施方式に準拠している、第4の態様の第3の可能な実施方式においては、
サービス制御ユニットは、VoLTEサービスの端末のLTEネットワーク信号品質がVoLTEサービスを満足することができないと決定した場合には、ベアラセットアップ要求メッセージの応答メッセージを移動性管理ネットワーク要素MMEに送信するように特に構成され、応答メッセージは、インターネットプロトコルマルチメディアサブシステムIMSに、回線交換フォールバックコールを開始するように端末をトリガさせる。
【００４１】
第4の態様または第4の態様の第1の可能な実施方式または第4の態様の第2の可能な実施方式または第4の態様の第3の可能な実施方式に準拠している、第4の態様の第4の可能な実施方式においては、アクセスネットワークデバイスは、VoLTEサービスの端末のLTEネットワークアップリンク信号品質パラメータおよび/またはLTEネットワークダウンリンク信号品質パラメータに基づいて、端末のLTEネットワーク信号品質がVoLTEサービスを満足することができないと決定する。
【００４２】
第4の態様の第4の可能な実施方式に準拠している、第4の態様の第5の可能な実施方式においては、端末のLTEネットワークアップリンク信号品質パラメータは、端末のLTEネットワークアップリンク信号強度、端末のLTEネットワークアップリンク信号対雑音比、または端末のLTEネットワークアップリンクパケットロスレートのうちの少なくとも1つを含む。
【００４３】
第4の態様の第4の可能な実施方式または第4の態様の第5の可能な実施方式に準拠している、第4の態様の第6の可能な実施方式においては、端末のLTEネットワークダウンリンク信号品質パラメータは、端末のLTEネットワークダウンリンク信号強度、端末のLTEネットワークダウンリンク信号対雑音比、または端末のLTEネットワークダウンリンクパケットロスレートのうちの少なくとも1つを含む。
【００４４】
第4の態様の第4の可能な実施方式または第4の態様の第5の可能な実施方式または第4の態様の第6の可能な実施方式に準拠している、第4の態様の第7の可能な実施方式においては、アクセスネットワークデバイスは、受信ユニットが、コアネットワークデバイスから、VoLTEサービスのベアラセットアップ要求メッセージを受信した後に、第1の測定制御命令を端末に送信するように構成される、送信ユニットをさらに含み、受信ユニットは、第1の測定制御命令に応答して端末によって送信された第1の測定レポートを受信し、第1の測定レポートは、端末のLTEネットワークダウンリンク信号品質パラメータを搬送するようにさらに構成される。
【００４５】
第4の態様または第4の態様の第1から第7の可能な実施方式のうちの任意の可能な実施方式に準拠している、第4の態様の第8の可能な実施方式においては、端末は、VoLTEサービスの発呼端末または被呼端末である。
【００４６】
第4の態様または第4の態様の第1から第8の可能な実施方式のうちの任意の可能な実施方式に準拠している、第4の態様の第9の可能な実施方式においては、VoLTEサービスのベアラは、サービス品質クラス識別子QCI=1のベアラである。
【００４７】
第4の態様または第4の態様の第1から第9の可能な実施方式のうちの任意の可能な実施方式に準拠している、第4の態様の第10の可能な実施方式においては、サービス制御ユニットは、ベアラセットアップ要求メッセージを拒否する前に、端末が回線交換ドメインに登録済みであったと決定するようにさらに構成される。
【００４８】
第4の態様の第10の可能な実施方式に準拠している、第4の態様の第11の可能な実施方式においては、受信ユニットは、通知メッセージをコアネットワークデバイスから受信することであって、通知メッセージは、端末が回線交換ドメインに登録済みであったことを示すために使用される指示情報を搬送する、受信することをするようにさらに構成され、サービス制御ユニットは、通知メッセージに基づいて、端末が回線交換ドメインに登録済みであったと決定する。
【００４９】
第4の態様の第10の可能な実施方式または第4の態様の第11の可能な実施方式に準拠している、第4の態様の第12の可能な実施方式においては、
サービス制御ユニットは、VoLTEサービスのベアラセットアップ要求メッセージがコアネットワークデバイスから受信された後、且つ、ベアラセットアップ要求メッセージが拒否される前に、端末の2G/3Gのネットワーク信号品質が音声サービスを満足していると決定するようにさらに構成される。
【００５０】
第4の態様の第12の可能な実施方式に準拠している、第4の態様の第13の可能な実施方式においては、アクセスネットワークデバイスは、VoLTEサービスのベアラセットアップ要求メッセージがコアネットワークデバイスから受信された後に、第2の測定制御命令を端末に送信することであって、第2の測定制御命令は、2G/3Gのネットワーク信号品質を測定するように端末に命令するために使用される、送信することをするように構成される、送信ユニットをさらに含み、受信ユニットは、第2の測定制御命令に応答して端末によって送信された第2の測定レポートを受信するようにさらに構成され、第2の測定レポートは、端末の2G/3Gのネットワークダウンリンク信号品質パラメータを搬送する。
【００５１】
本発明の実施形態の第5の態様は、端末を提供しており、端末は、
インターネットプロトコルマルチメディアサブシステムIMSネットワークから、VoLTEサービスのコール要求メッセージを受信するように構成される、受信ユニットと、
端末のLTEネットワーク信号品質がVoLTEサービスを満足することができないと決定した場合には、コール要求メッセージを拒否するように構成される、サービス制御ユニットとを含む。
【００５２】
第5の態様に準拠している、第5の態様の第1の可能な実施方式においては、コール要求メッセージを拒否するステップは、端末によって、コール要求メッセージを拒否するための応答メッセージをIMSネットワークに送信するステップであって、応答メッセージは、回線交換フォールバックコールを開始するように端末をトリガするためにIMSネットワークにおいて使用される、ステップを含む。
【００５３】
第5の態様または第5の態様の第1の可能な実施方式に準拠している、第5の態様の第2の可能な実施方式においては、端末は、端末のLTEネットワークアップリンク信号品質パラメータおよび/またはLTEネットワークダウンリンク信号品質パラメータに基づいて、端末のLTEネットワーク信号品質がVoLTEサービスを満足することができないと決定する。
【００５４】
第5の態様の第2の可能な実施方式に準拠している、第5の態様の第3の可能な実施方式においては、端末のLTEネットワークアップリンク信号品質パラメータは、端末のLTEネットワークアップリンク信号強度、端末のLTEネットワークアップリンク信号対雑音比、または端末のLTEネットワークアップリンクパケットロスレートのうちの少なくとも1つを含む。
【００５５】
第5の態様の第2の可能な実施方式または第5の態様の第3の可能な実施方式に準拠している、第5の態様の第4の可能な実施方式においては、端末のLTEネットワークダウンリンク信号品質パラメータは、端末のLTEネットワークダウンリンク信号強度、端末のLTEネットワークダウンリンク信号対雑音比、または端末のLTEネットワークダウンリンクパケットロスレートのうちの少なくとも1つを含む。
【００５６】
第5の態様または第5の態様の第1から第4の可能な実施方式のうちの任意の可能な実施方式に準拠している、第5の態様の第5の可能な実施方式においては、コール要求メッセージは、招待(invite)メッセージである。
【００５７】
第5の態様の第5の可能な実施方式に準拠している、第5の態様の第6の可能な実施方式においては、応答メッセージは、一時的に利用不可能な応答メッセージである。
【００５８】
本発明の実施形態の第6の態様は、端末を提供しており、端末は、
VoLTEサービスを確立するように命令するユーザ命令を受信するように構成される、受信ユニットと、
端末のLTEネットワーク信号品質がVoLTEサービスを満足することができないと決定した場合には、回線交換ドメインにおいてVoLTEサービスの被呼端末に発呼するように構成される、サービス制御ユニットとを含む。
【００５９】
第6の態様に準拠している、第6の態様の第1の可能な実施方式においては、サービス処理ユニットは、端末のLTEネットワークアップリンク信号品質パラメータおよび/またはLTEネットワークアップリンク信号品質パラメータに基づいて、端末のLTEネットワーク信号品質がVoLTEサービスを満足することができないと決定する。
【００６０】
第6の態様の第1の可能な実施方式に準拠している、第2の態様の第2の可能な実施方式においては、端末のLTEネットワークアップリンク信号品質パラメータは、端末のLTEネットワークアップリンク信号強度、端末のLTEネットワークアップリンク信号対雑音比、または端末のLTEネットワークアップリンクパケットロスレートのうちの少なくとも1つを含む。
【００６１】
第6の態様の第1の可能な実施方式または第6の態様の第2の可能な実施方式に準拠している、第6の態様の第3の可能な実施方式においては、端末のLTEネットワークダウンリンク信号品質パラメータは、端末のLTEネットワークダウンリンク信号強度、端末のLTEネットワークダウンリンク信号対雑音比、または端末のLTEネットワークダウンリンクパケットロスレートのうちの少なくとも1つを含む。
【００６２】
第6の態様または第6の態様の第1から第3の可能な実施方式のうちの任意の可能な実施方式に準拠している、第6の態様の第4の可能な実施方式においては、
端末は、VoLTEサービスを確立するように命令するユーザ命令を受信した後に、端末のLTEネットワークダウンリンク信号品質パラメータを取得するために、LTEネットワークダウンリンク信号品質を測定するように構成される、測定ユニットをさらに含む。
【００６３】
第6の態様または第6の態様の第1から第4の可能な実施方式のうちの任意の可能な実施方式に準拠している、第6の態様の第5の可能な実施方式においては、サービス制御ユニットは、回線交換ドメインにおいてVoLTEサービスの被呼端末に発呼する前に、端末が回線交換ドメインに登録済みであったと決定するようにさらに構成される。
【００６４】
第6の態様または第6の態様の第1から第4の可能な実施方式のうちの任意の可能な実施方式に準拠している、第6の態様の第6の可能な実施方式においては、サービス制御ユニットは、回線交換ドメインにおいてVoLTEサービスの被呼端末に発呼する前に、端末が回線交換ドメインに登録済みではなかった場合には、回線交換ドメインに登録するようにさらに構成される。
【００６５】
第6の態様の第6の可能な実施方式に準拠している、第6の態様の第7の可能な実施方式においては、サービス制御ユニットによって、回線交換ドメインに登録するステップは、複合アタッチ方式で回線交換ドメインに登録するステップ、または、リセレクションプロセスにより回線交換ドメインにキャンプオンし、回線交換ドメインに登録するステップを含む。
【００６６】
第6の態様の第5から第7の可能な実施方式のうちの任意の可能な実施方式に準拠している、第6の態様の第8の可能な実施方式においては、サービス制御ユニットは、回線交換ドメインにおいてVoLTEサービスの被呼端末に発呼する前に、回線交換ドメインのネットワーク信号品質が音声サービスを満足していると決定するようにさらに構成される。
【００６７】
第6の態様または第6の態様の第1から第8の可能な実施方式のうちの任意の可能な実施方式に準拠している、第6の態様の第9の可能な実施方式においては、受信ユニットは、サービス制御ユニットが回線交換ドメインにおいてVoLTEサービスの被呼端末に発呼する前に、通知メッセージをLong Term Evolutionネットワークから受信するようにさらに構成され、通知メッセージは、端末のLong Term Evolutionネットワークアップリンク信号品質パラメータおよび/またはLong Term Evolutionネットワークダウンリンク信号品質パラメータを搬送し、通知メッセージは、端末のLong Term Evolutionネットワーク信号品質がVoLTEサービスを満足することができないと決定するためにプロセッサによって使用される。
【００６８】
第6の態様の第9の可能な実施方式に準拠している、第6の態様の第10の可能な実施方式においては、通知メッセージは、Long Term Evolutionネットワークのアクセスネットワークデバイスからのものである。
【００６９】
本発明の実施形態の第7の態様は、アクセスネットワークデバイスを提供しており、アクセスネットワークデバイスは、
コアネットワークデバイスから、VoLTEサービスのベアラセットアップ要求メッセージを受信するように構成される、ネットワークインターフェースと、
VoLTEサービスの端末のLTEネットワーク信号品質がVoLTEサービスを満足することができないと決定した場合には、ベアラセットアップ要求メッセージを拒否するように構成される、プロセッサとを含む。
【００７０】
第7の態様に準拠している、第7の態様の第1の可能な実施方式においては、
プロセッサは、VoLTEサービスの端末のLTEネットワーク信号品質がVoLTEサービスを満足することができないと決定した場合には、ネットワークインターフェースを使用して、ベアラセットアップ要求メッセージを拒否するための応答メッセージをコアネットワークデバイスに送信するように特に構成され、応答メッセージは、回線交換フォールバックコールを開始するように端末をトリガするためにコアネットワークデバイスによって使用される。
【００７１】
第7の態様の第1の可能な実施方式に準拠している、第7の態様の第2の可能な実施方式においては、応答メッセージは、VoLTEサービスのベアラセットアップ失敗に関する要因値を搬送する。
【００７２】
第7の態様の第1の可能な実施方式または第7の態様の第2の可能な実施方式に準拠している、第7の態様の第3の可能な実施方式においては、
プロセッサは、VoLTEサービスの端末の信号品質がVoLTEサービスを満足することができないと決定した場合には、ネットワークインターフェースを使用してベアラセットアップ要求メッセージの応答メッセージを移動性管理ネットワーク要素MMEに送信するように特に構成され、応答メッセージは、インターネットプロトコルマルチメディアサブシステムIMSに、回線交換フォールバックコールを開始するように端末をトリガさせる。
【００７３】
第7の態様または第7の態様の第1の可能な実施方式または第7の態様の第2の可能な実施方式または第7の態様の第3の可能な実施方式に準拠している、第7の態様の第4の可能な実施方式においては、プロセッサは、VoLTEサービスの端末のLTEネットワークアップリンク信号品質パラメータおよび/またはLTEネットワークダウンリンク信号品質パラメータに基づいて、端末のLTEネットワーク信号品質がVoLTEサービスを満足することができないと決定する。
【００７４】
第7の態様の第4の可能な実施方式に準拠している、第7の態様の第5の可能な実施方式においては、端末のLTEネットワークアップリンク信号品質パラメータは、端末のLTEネットワークアップリンク信号強度、端末のLTEネットワークアップリンク信号対雑音比、または端末のLTEネットワークアップリンクパケットロスレートのうちの少なくとも1つを含む。
【００７５】
第7の態様の第4の可能な実施方式または第7の態様の第5の可能な実施方式に準拠している、第7の態様の第6の可能な実施方式においては、端末のLTEネットワークダウンリンク信号品質パラメータは、端末のLTEネットワークダウンリンク信号強度、端末のLTEネットワークダウンリンク信号対雑音比、または端末のLTEネットワークダウンリンクパケットロスレートのうちの少なくとも1つを含む。
【００７６】
第7の態様の第4の可能な実施方式または第7の態様の第5の可能な実施方式または第7の態様の第6の可能な実施方式に準拠している、第7の態様の第7の可能な実施方式においては、プロセッサは、VoLTEサービスのベアラセットアップ要求メッセージがコアネットワークデバイスから受信された後に、ネットワークインターフェースを使用して第1の測定制御命令を端末に送信し、ネットワークインターフェースを使用して、第1の測定制御命令に応答して端末によって送信された第1の測定レポートを受信するようにさらに構成され、第1の測定レポートは、端末のLTEネットワークダウンリンク信号品質パラメータを搬送する。
【００７７】
第7の態様または第7の態様の第1から第7の可能な実施方式のうちの任意の可能な実施方式に準拠している、第7の態様の第8の可能な実施方式においては、端末は、VoLTEサービスの発呼端末または被呼端末である。
【００７８】
第7の態様または第7の態様の第1から第8の可能な実施方式のうちの任意の可能な実施方式に準拠している、第7の態様の第9の可能な実施方式においては、VoLTEサービスのベアラは、サービス品質クラス識別子QCI=1のベアラである。
【００７９】
第7の態様または第7の態様の第1から第8の可能な実施方式のうちの任意の可能な実施方式に準拠している、第7の態様の第9の可能な実施方式においては、プロセッサは、ベアラセットアップ要求メッセージを拒否する前に、端末が回線交換ドメインに登録済みであったと決定するようにさらに構成される。
【００８０】
第7の態様の第9の可能な実施方式に準拠している、第7の態様の第10の可能な実施方式においては、ネットワークインターフェースは、通知メッセージをコアネットワークデバイスから受信することであって、通知メッセージは、端末が回線交換ドメインに登録済みであったことを示すために使用される指示情報を搬送する、受信することをするようにさらに構成され、プロセッサは、通知メッセージに基づいて、端末が回線交換ドメインに登録済みであったと決定する。
【００８１】
第9の可能な実施方式または第7の態様の第10の可能な実施方式に準拠している、第7の態様の第11の可能な実施方式においては、プロセッサは、VoLTEサービスのベアラセットアップ要求メッセージがコアネットワークデバイスから受信された後、且つ、ベアラセットアップ要求メッセージが拒否される前に、端末の2G/3Gのネットワーク信号品質が音声サービスを満足していると決定するようにさらに構成される。
【００８２】
第7の態様の第10の可能な実施方式に準拠している、第7の態様の第12の可能な実施方式においては、ネットワークインターフェースは、コアネットワークデバイスから、VoLTEサービスのベアラセットアップ要求メッセージを受信した後に、第2の測定制御命令を端末に送信することであって、第2の測定制御命令は、2G/3Gのネットワーク信号品質を測定するように端末に命令するために使用される、送信することをし、第2の測定制御命令に応答して端末によって送信された第2の測定レポートを受信するようにさらに構成され、第2の測定レポートは、端末の2G/3Gのネットワークダウンリンク信号品質パラメータを搬送する。
【００８３】
本発明の第8の態様は、端末を提供しており、端末は、
インターネットプロトコルマルチメディアサブシステムIMSネットワークから、VoLTEサービスのコール要求メッセージを受信するように構成される、レシーバと、
端末のLTEネットワーク信号品質がVoLTEサービスを満足することができないと決定した場合には、コール要求メッセージを拒否するように構成される、プロセッサとを含む。
【００８４】
第8の態様に準拠している、第8の態様の第1の可能な実施方式においては、端末は、トランスミッタをさらに含み、
プロセッサは、トランスミッタを使用してIMSネットワークに、コール要求メッセージを拒否するための応答メッセージを送信するように特に構成され、応答メッセージは、回線交換フォールバックコールを開始するように端末をトリガするためにIMSネットワークにおいて使用される。
【００８５】
第8の態様または第8の態様の第1の可能な実施方式に準拠している、第8の態様の第2の可能な実施方式においては、プロセッサは、端末のLTEネットワークアップリンク信号品質パラメータおよび/またはLTEネットワークダウンリンク信号品質パラメータに基づいて、端末のLTEネットワーク信号品質がVoLTEサービスを満足することができないと決定する。
【００８６】
第8の態様の第2の可能な実施方式に準拠している、第8の態様の第3の可能な実施方式においては、端末のLTEネットワークアップリンク信号品質パラメータは、端末のLTEネットワークアップリンク信号強度、端末のLTEネットワークアップリンク信号対雑音比、または端末のLTEネットワークアップリンクパケットロスレートのうちの少なくとも1つを含む。
【００８７】
第8の態様の第2の可能な実施方式または第8の態様の第3の可能な実施方式に準拠している、第8の態様の第4の可能な実施方式においては、端末のLTEネットワークダウンリンク信号品質パラメータは、端末のLTEネットワークダウンリンク信号強度、端末のLTEネットワークダウンリンク信号対雑音比、または端末のLTEネットワークダウンリンクパケットロスレートのうちの少なくとも1つを含む。
【００８８】
第8の態様または第8の態様の第1から第4の可能な実施方式のうちの任意の可能な実施方式に準拠している、第8の態様の第5の可能な実施方式においては、コール要求メッセージは、招待(invite)メッセージである。
【００８９】
第8の態様の第5の可能な実施方式に準拠している、第8の態様の第6の可能な実施方式においては、応答メッセージは、一時的に利用不可能な応答メッセージである。
【００９０】
本発明の実施形態の第9の態様は、端末を提供しており、端末は、
VoLTEサービスを確立するように命令するユーザ命令を受信するように構成される、ユーザインターフェースと、
端末のLTEネットワーク信号品質がVoLTEサービスを満足することができないと決定した場合には、回線交換ドメインにおいてVoLTEサービスの被呼端末への発呼を開始するように構成される、プロセッサとを含む。
【００９１】
第9の態様に準拠している、第9の態様の第1の可能な実施方式においては、プロセッサは、端末のLTEネットワークアップリンク信号品質パラメータおよび/またはLTEネットワークアップリンク信号品質パラメータに基づいて、端末のLTEネットワーク信号品質がVoLTEサービスを満足することができないと決定する。
【００９２】
第9の態様の第1の可能な実施方式に準拠している、第2の態様の第2の可能な実施方式においては、端末のLTEネットワークアップリンク信号品質パラメータは、端末のLTEネットワークアップリンク信号強度、端末のLTEネットワークアップリンク信号対雑音比、または端末のLTEネットワークアップリンクパケットロスレートのうちの少なくとも1つを含む。
【００９３】
第9の態様の第1の可能な実施方式または第9の態様の第2の可能な実施方式に準拠している、第9の態様の第3の可能な実施方式においては、端末のLTEネットワークダウンリンク信号品質パラメータは、端末のLTEネットワークダウンリンク信号強度、端末のLTEネットワークダウンリンク信号対雑音比、または端末のLTEネットワークダウンリンクパケットロスレートのうちの少なくとも1つを含む。
【００９４】
第9の態様または第9の態様の第1から第3の可能な実施方式のうちの任意の可能な実施方式に準拠している、第9の態様の第4の可能な実施方式においては、
プロセッサは、VoLTEサービスを確立するように命令するユーザ命令を受信した後に、端末のLTEネットワークダウンリンク信号品質パラメータを取得するために、LTEネットワークダウンリンク信号品質を測定するようにさらに構成される。
【００９５】
第9の態様または第9の態様の第1から第4の可能な実施方式のうちの任意の可能な実施方式に準拠している、第9の態様の第5の可能な実施方式においては、プロセッサは、回線交換ドメインにおいてVoLTEサービスの被呼端末に発呼する前に、端末が回線交換ドメインに登録済みであったと決定するようにさらに構成される。
【００９６】
第9の態様または第9の態様の第1から第3の可能な実施方式のうちの任意の可能な実施方式に準拠している、第9の態様の第6の可能な実施方式においては、プロセッサは、回線交換ドメインにおいてVoLTEサービスの被呼端末に発呼する前に、端末が回線交換ドメインに登録済みではなかった場合には、回線交換ドメインに登録するようにさらに構成される。
【００９７】
第9の態様の第6の可能な実施方式に準拠している、第9の態様の第7の可能な実施方式においては、プロセッサによって、回線交換ドメインに登録することは、複合アタッチ方式で回線交換ドメインに登録すること、または、リセレクションプロセスにより回線交換ドメインにキャンプオンし、回線交換ドメインに登録することを含む。
【００９８】
第9の態様の第5から第7の可能な実施方式のうちの任意の可能な実施方式に準拠している、第9の態様の第8の可能な実施方式においては、プロセッサは、回線交換ドメインにおいてVoLTEサービスの被呼端末に発呼する前に、回線交換ドメインのネットワーク信号品質が音声サービスを満足していると決定するようにさらに構成される。
【００９９】
第9の態様または第9の態様の第1から第8の可能な実施方式のうちの任意の可能な実施方式に準拠している、第9の態様の第9の可能な実施方式においては、端末は、ネットワークインターフェースをさらに含み、ネットワークインターフェースは、プロセッサが回線交換ドメインにおいてVoLTEサービスの被呼端末に発呼する前に、通知メッセージをLong Term Evolutionネットワークから受信するように構成され、通知メッセージは、端末のLong Term Evolutionネットワークアップリンク信号品質パラメータおよび/またはLong Term Evolutionネットワークダウンリンク信号品質パラメータを搬送し、通知メッセージは、端末のLong Term Evolutionネットワーク信号品質がVoLTEサービスを満足することができないと決定するためにプロセッサによって使用される。
【０１００】
第9の態様の第9の可能な実施方式に準拠している、第9の態様の第10の可能な実施方式においては、通知メッセージは、Long Term Evolutionネットワークのアクセスネットワークデバイスからのものである。
【０１０１】
本発明の第10の態様は、通信システムをさらに提供しており、通信システムは、
コアネットワークデバイスおよびアクセスネットワークデバイスを含み、アクセスネットワークデバイスは、本発明の実施形態において提供したアクセスネットワークデバイスのうちのいずれか1つである。
【０１０２】
本発明の第10の態様は、サービス処理方法をさらに提供しており、サービス処理方法は、
Long Term Evolutionネットワークのコアネットワークデバイスによって、VoLTEサービスのベアラセットアップ要求メッセージをLong Term Evolutionネットワークのアクセスネットワークデバイスに送信するステップと、
コアネットワークデバイスによって、通知メッセージをアクセスネットワークデバイスに送信するステップであって、通知メッセージは、VoLTEサービスの端末が回線交換ドメインに登録済みであったことを示すために使用される指示情報を搬送し、通知メッセージは、VoLTEサービスの端末の信号品質がVoLTEサービスを満足することができないと決定した場合には、ベアラセットアップ要求メッセージが拒否される前に、端末が回線交換ドメインに登録済みであったと決定するためにアクセスネットワークデバイスによって使用される、ステップとを含む。
【０１０３】
本発明の第11の態様は、コアネットワークデバイスをさらに提供しており、コアネットワークデバイスは、ネットワークインターフェースとプロセッサとを含み、
ネットワークインターフェースは、VoLTEサービスのベアラセットアップ要求メッセージをアクセスネットワークデバイスに送信し、通知メッセージをアクセスネットワークデバイスに送信するように構成され、通知メッセージは、VoLTEサービスの端末が回線交換ドメインに登録済みであったことを示すために使用される指示情報を搬送し、通知メッセージは、VoLTEサービスの端末の信号品質がVoLTEサービスを満足することができないと決定した場合には、ベアラセットアップ要求メッセージが拒否される前に、端末が回線交換ドメインに登録済みであったと決定するためにアクセスネットワークデバイスによって使用される。
【０１０４】
本発明のいくつかの実施形態のソリューションにおいては、アクセスネットワークデバイスが、コアネットワークデバイスから、VoLTEサービスのベアラセットアップ要求メッセージを受信した後に、アクセスネットワークデバイスが、VoLTEサービスの端末のLTEネットワーク信号品質がVoLTEサービスを満足することができないと決定した場合には、ベアラセットアップ要求メッセージを拒否することは理解されよう。すなわち、VoLTEサービスのベアラセットアッププロセスにおいて、端末のLTEネットワーク信号品質がVoLTEサービスを満足することができないことにアクセスネットワークデバイスが気付いた場合には、アクセスネットワークデバイスは、確立されるVoLTEサービスの安定性をある程度改善することを支援し、それによって、ユーザの通話体験を改善するために、VoLTEサービスのベアラセットアップを停止する。
【０１０５】
本発明の実施形態における技術的ソリューションをより明確に説明するために、実施形態および従来技術を説明するために必要となる添付の図面を以下に簡単に説明する。以下の説明における添付の図面は本発明のいくつかの実施形態を示しているに過ぎず、当業者が創造的努力なしにこれらの添付の図面から他の図面をさらに導出し得ることは明らかであろう。
【図面の簡単な説明】
【０１０６】
【図１−ａ】本発明の事例的な実施形態による、ネットワークデプロイメント機構の概略図である。
【図１−ｂ】本発明の事例的な実施形態による、サービス処理方法の概略フローチャートである。
【図２】本発明の事例的な実施形態による、別のサービス処理方法の概略フローチャートである。
【図３】本発明の事例的な実施形態による、別のサービス処理方法の概略フローチャートである。
【図４】本発明の事例的な実施形態による、別のサービス処理方法の概略フローチャートである。
【図５】本発明の事例的な実施形態による、別のサービス処理方法の概略フローチャートである。
【図６】本発明の事例的な実施形態による、別のサービス処理方法の概略フローチャートである。
【図７】本発明の事例的な実施形態による、アクセスネットワークデバイスの概略図である。
【図８】本発明の事例的な実施形態による、端末の概略図である。
【図９】本発明の事例的な実施形態による、別の端末の概略図である。
【図１０】本発明の事例的な実施形態による、別のアクセスネットワークデバイスの概略図である。
【図１１】本発明の事例的な実施形態による、別の端末の概略図である。
【図１２】本発明の事例的な実施形態による、別の端末の概略図である。
【図１３】本発明の実施形態による、通信システムの概略図である。
【図１４】本発明の実施形態による、コアネットワークデバイスの概略図である。
【発明を実施するための形態】
【０１０７】
本発明の実施形態は、確立されるVoLTEサービスの安定性を改善し、それによって、ユーザの通話体験を改善する、サービス処理方法、関連する装置、および通信システムを提供している。
【０１０８】
発明の目的、特徴、および本発明の利点をより明確且つより理解しやすいものとするために、本発明の実施形態における添付の図面を参照して本発明の実施形態における技術的ソリューションを以下に明確に説明している。以下に説明した実施形態が本発明の実施形態のすべてではなく一部に過ぎない事は明らかであろう。創造的努力なしに本発明の実施形態に基づいて当業者によって得られるすべての他の実施形態は、本発明の保護範囲に含まれるものとする。
【０１０９】
本明細書、特許請求の範囲、および本発明の添付の図面における、「第1の」、「第2の」、「第3の」、「第4の」などの用語は、種々のオブジェクト間で区別することを意図したものであり、具体的な順序を示すことを意図したものではない。加えて、「含む」、「備える」という用語、またはその任意の他の変形は、非排他的包含をカバーすることを意図している。例えば、一連のステップまたはユニットを含む、プロセス、方法、システム、製品、またはデバイスは、列挙したステップまたはユニットに限定されるわけではなく、必要に応じて列挙していないステップもしくはユニットをさらに含む、または、必要に応じてプロセス、方法、製品、もしくはデバイスの本来備わっている別のステップもしくはユニットをさらに含む。
【０１１０】
図1-aを参照すれば、図1-aは、本発明の事例的な実施形態による、通信ネットワーク機構の概略図である。発展型NodeB(eNB、Evolved NodeB)は、無線リンクを使用してUEと通信接続状態にあり得る。図1-aに示した事例的な機構におけるLTEネットワークのコアネットワークデバイスは、移動管理エンティティ(MME、Mobility Management Entity)、サービングゲートウェイ(SGW、Serving Gateway)、パケットデータネットワークゲートウェイ(PGW、PDN Gateway)などを含む。コアネットワークデバイスは、UEのVoLTEサービスをIMSネットワークにアクセスする際に接続役割を果たす責任を負うとともに、UEとIMSネットワークとの間でVoLTEコール関連のシグナリングを転送する責任を負い得るし、VoLTEサービスの関連ユーザプレーンデータ(メディアデータ)を転送するために使用される関連専用ベアラ(例えば、サービス品質クラス識別子(QCI、QoS Class Identifier)=1の専用ベアラ)をセットアップする責任をさらに負い得る。
【０１１１】
(発呼側P-CSCFおよび被呼側P-CSCFに分類され得る)P-CSCFは、どのUEがVoLTEサービスプロセスにおいてインターネットプロトコルマルチメディアサブシステム(IMS、IP Multimedia Subsystem)ネットワークにアクセスするかを使用することによる最初のコンタクトポイントである。P-CSCFは、すべてのVoLTE関連のシグナリングのエージェントとしての役割を果たすおよびルーティング制御を完遂する責任を負い得る。VoLTEコールプロセスにおいては、P-CSCFは、関連制御メッセージなどをポリシーおよび課金ルール機能PCRF(Policy and Charging Rules Function)エンティティに送信する責任をさらに負い得る。
【０１１２】
(発呼側S-CSCFおよび被呼側S-CSCFに分類され得る)S-CSCFは、IMSネットワークのサービス切替センタであり、S-CSCFは、UE登録要求、ユーザ管理、セッション制御、サービス切替、サービス制御、SIPメッセージ処理、および課金などを受信および処理する責任を主に追い得る。S-CSCFは、アプリケーションのトリガルールに従って、セッション・イニシエーション・プロトコル(SIP、Session Initiation Protocol)要求などを対応するドメイン選択サービスデバイスをさらにトリガし得る。
【０１１３】
着信アクセスドメイン選択(TADS、terminating access domain selection)は、被呼音声セッションを対応するドメイン(例えば、CSドメインまたはIMSドメイン)に接続する責任を負い得る。着信アクセスドメイン選択は、UEへの(IMSドメインに対応するように接続される)VoLTEコールを開始するか(CSドメインに対応するように接続される)従来の回線交換コールを開始するかを決定し得る。
【０１１４】
本発明の実施形態のいくつかの技術的ソリューションは、図1-aに示した事例的な通信ネットワーク機構またはその変形機構に基づいて特に実施され得る。本発明の実施形態の技術的ソリューションは、確立されるVoLTEサービスの安定性を改善し、それによって、ユーザの通話体験を改善している。
【０１１５】
以下では、アクセスネットワークデバイスの観点からの説明をまず提供している。
【０１１６】
図1-bを参照すれば、図1-bは、本発明の実施形態による、サービス処理方法の概略フローチャートである。図1-b中の例において示しているように、本発明の実施形態において提供したサービス処理方法は、以下のステップを含み得る。
【０１１７】
S101: アクセスネットワークデバイスが、コアネットワークデバイスから、VoLTEサービスのベアラセットアップ要求メッセージを受信する。
【０１１８】
アクセスネットワークデバイスは、VoLTEサービスの発呼端末のアクセスネットワークデバイスであり得る、または、VoLTEサービスの被呼端末のアクセスネットワークデバイスであり得る。
【０１１９】
アクセスネットワークデバイスは、eNBまたは端末の無線アクセスのために使用される別のデバイスであり得る。
【０１２０】
コアネットワークデバイスは、例えば、MMEまたはベアラセットアップ要求メッセージを開始もしくは転送し得る別のデバイスであり得る。
【０１２１】
S102: アクセスネットワークデバイスが、VoLTEサービスの端末のLTEネットワーク信号品質がVoLTEサービスを満足することができないと決定した場合には、ベアラセットアップ要求メッセージを拒否する。
【０１２２】
端末は、VoLTEサービスの発呼端末または被呼端末であり得る。
【０１２３】
端末は、ユーザ機器(UE、User Equipment)または別の形式の通信端末で特にあり得る。
【０１２４】
VoLTEサービスの端末のLTEネットワーク信号品質がVoLTEサービスを満足することができないということが、VoLTEサービスの端末のLTEネットワーク信号品質がVoLTEサービスのユーザプレーンベアラ(例えば、QCI=1のベアラ)を満足することができない、すなわち、VoLTEサービスの端末のLTEネットワーク信号品質がVoLTEサービスのユーザプレーンベアラのための(に必要な)LTEネットワーク信号品質条件を満たすことができないことを特に指し得ることは理解されよう。
【０１２５】
本実施形態の技術的ソリューションにおいては、アクセスネットワークデバイスが、コアネットワークデバイスから、VoLTEサービスのベアラセットアップ要求メッセージを受信した後に、アクセスネットワークデバイスが、VoLTEサービスの端末のLTEネットワーク信号品質がVoLTEサービスを満足することができないと決定した場合には、ベアラセットアップ要求メッセージを拒否することは理解されよう。すなわち、VoLTEサービスのベアラセットアッププロセスにおいて、端末のLTEネットワーク信号品質がVoLTEサービスを満足することができないことにアクセスネットワークデバイスが気付いた場合には、アクセスネットワークデバイスは、確立されるVoLTEサービスの安定性をある程度改善することを支援し、それによって、ユーザの通話体験を改善するために、VoLTEサービスのベアラセットアップを停止する。例えば、今日においても、電波の弱い(weak)LTEネットワークカバレッジを有する多くのエリアがまだ存在しており、事業者は、各エリアのLTEネットワークのLTEネットワーク信号品質が良好であることを保証することができていない。例えば、一般的に、LTEネットワークのセルエッジカバレッジは比較的電波の弱いことがしばしばあり、LTEネットワークセルエッジの電波の弱いカバレッジのせいで、端末がこれらのエリア内でVoLTEサービスのセットアップを開始することができない場合があり、本実施形態の技術的ソリューションが使用された後には、このことが、端末が別の方式でコールサービスを確立することができるようにすることにさらに一役買っており、成功裏に確立されるコールサービスの安定性を改善するのに一役買うことになる。
【０１２６】
必要に応じて、ベアラセットアップ要求メッセージを拒否するステップは、ベアラセットアップ要求メッセージを拒否するための応答メッセージをコアネットワークデバイスに送信するステップであって、応答メッセージは、回線交換フォールバックコールを開始するように端末をトリガするためにコアネットワークデバイスによって使用される、ステップを含み得る。当然のことながら、アクセスネットワークデバイスは、別の方式でベアラセットアップ要求メッセージを拒否してもよい、例えば、受信したベアラセットアップ要求メッセージを直ちに無視してもよい。
【０１２７】
回線交換フォールバック(CSFB、Circuit Switched Fallback)コールを開始するように端末を直接的または間接的にトリガするためにコアネットワークデバイスによって応答メッセージが使用されることは理解されよう。具体的には、例えば、応答メッセージは、IMSネットワークによって、回線交換フォールバックコールを開始するように端末をトリガするためにコアネットワークデバイスによって使用される。例えば、一般的に、LTEネットワークのセルエッジカバレッジは比較的電波の弱いことがしばしばあり、LTEネットワークの電波の弱いセルエッジカバレッジのせいで、端末がこれらのエリア内でVoLTEサービスのセットアップを開始することができない場合がある。応答メッセージは、回線交換フォールバックコールを開始するように端末をトリガし、端末が回線交換方式でコールサービスを確立することができるようにするためにコアネットワークデバイスによって使用されており、成功裏に確立されるコールサービスの安定性を改善するのに一役買っている。
【０１２８】
必要に応じて、応答メッセージは、VoLTEサービスのベアラセットアップ失敗に関する要因値をさらに搬送し得る。
【０１２９】
必要に応じて、ベアラセットアップ要求メッセージを拒否するための応答メッセージをコアネットワークデバイスに送信するステップは、ベアラセットアップ要求メッセージの応答メッセージをMMEに送信するステップを含み得る、ここで、応答メッセージは、インターネットプロトコルマルチメディアサブシステムIMSに、回線交換フォールバックコールを開始するように端末をトリガさせる。
【０１３０】
必要に応じて、アクセスネットワークデバイスは、例えば、VoLTEサービスの端末のLTEネットワークアップリンク信号品質パラメータおよび/またはLTEネットワークダウンリンク信号品質パラメータに基づいて、端末のLTEネットワーク信号品質がVoLTEサービスを満足することができないと決定し得る。
【０１３１】
必要に応じて、端末のLTEネットワークアップリンク信号品質パラメータは、端末のLTEネットワークアップリンク信号強度、端末のLTEネットワークアップリンク信号対雑音比、または端末のLTEネットワークアップリンクパケットロスレートのうちの少なくとも1つを含み得る。具体的には、例えば、端末のLTEネットワークアップリンク信号強度が第1の閾値未満であり、端末のLTEネットワークアップリンク信号対雑音比が第2の閾値未満であり、および/または端末のLTEネットワークアップリンクパケットロスレートが第3の閾値より大きい場合には、端末のLTEネットワークアップリンク信号品質がVoLTEサービスを満足することができないとみなしてもよい。
【０１３２】
必要に応じて、端末のLTEネットワークダウンリンク信号品質パラメータは、端末のLTEネットワークダウンリンク信号強度、端末のLTEネットワークダウンリンク信号対雑音比、または端末のLTEネットワークダウンリンクパケットロスレートのうちの少なくとも1つを含む。具体的には、例えば、端末のLTEネットワークダウンリンク信号強度が第4の閾値未満であり、端末のLTEネットワークダウンリンク信号対雑音比が第5の閾値未満であり、および/または端末のLTEネットワークダウンリンクパケットロスレートが第6の閾値より大きい場合には、端末のLTEネットワークダウンリンク信号品質がVoLTEサービスを満足することができないとみなしてもよい。
【０１３３】
VoLTEサービスの端末のLTEネットワークアップリンク信号品質パラメータおよびLTEネットワークダウンリンク信号品質パラメータの双方に基づいて、端末のLTEネットワーク信号品質がVoLTEサービスを満足することができるかどうかを決定するケースが同様に導かれ得ることは理解されよう。
【０１３４】
必要に応じて、アクセスネットワークデバイスによって、コアネットワークデバイスから、VoLTEサービスのベアラセットアップ要求メッセージを受信するステップの後に、方法は、アクセスネットワークデバイスによって、第1の測定制御命令を端末に送信するステップと、アクセスネットワークデバイスによって、第1の測定制御命令に応答して端末によって送信された第1の測定レポートを受信するステップであって、第1の測定レポートは、端末のLTEネットワークダウンリンク信号品質パラメータを搬送する、ステップをさらに含み得る。すなわち、アクセスネットワークデバイスが、コアネットワークデバイスから、VoLTEサービスのベアラセットアップ要求メッセージを受信した後に、アクセスネットワークデバイスは、リアルタイムで端末のLTEネットワークダウンリンク信号品質パラメータを取得するように端末に命令し得るし、リアルタイムで端末によって取得されたLTEネットワークダウンリンク信号品質パラメータに従って、端末のLTEネットワーク信号品質がVoLTEサービスを満足することができるかどうかを決定し得る。
【０１３５】
必要に応じて、本発明のいくつかの可能な実施方式においては、ベアラセットアップ要求メッセージを拒否するステップの前に、方法は、アクセスネットワークデバイスによって、端末が回線交換ドメインに登録済みであったと決定するステップをさらに含む。すなわち、アクセスネットワークデバイスは、端末が回線交換ドメインに登録済みであったと決定した場合にのみ、ベアラセットアップ要求メッセージを拒否し得るし、端末が回線交換ドメインに登録済みではなかったとアクセスネットワークデバイスが決定した場合には、たとえVoLTEサービスの端末のLTEネットワーク信号品質がVoLTEサービスを満足することができないとアクセスネットワークデバイスが決定していようとも、アクセスネットワークデバイスは、ベアラセットアップ要求メッセージを拒否し得ない。
【０１３６】
必要に応じて、本発明のいくつかの可能な実施方式においては、方法は、アクセスネットワークデバイスによって、コアネットワークデバイスから通知メッセージを受信するステップであって、通知メッセージは、端末が回線交換ドメインに登録済みであったことを示すために使用される指示情報を搬送する、ステップをさらに含み、アクセスネットワークデバイスは、通知メッセージに基づいて、端末が回線交換ドメインに登録済みであったと決定し得る。当然のことながら、アクセスネットワークデバイスは、別の方式に基づいて、端末が回線交換ドメインに登録済みであったかどうかを決定してもよい。
【０１３７】
必要に応じて、本発明のいくつかの可能な実施方式においては、アクセスネットワークデバイスによって、コアネットワークデバイスから、VoLTEサービスのベアラセットアップ要求メッセージを受信するステップの後、且つ、ベアラセットアップ要求メッセージを拒否するステップの前に、方法は、アクセスネットワークデバイスによって、2G/3G(第2世代モバイル通信/第3世代モバイル通信)端末のネットワーク信号品質が音声サービスを満足していると決定するステップをさらに含み得る。
【０１３８】
必要に応じて、アクセスネットワークデバイスは、例えば、VoLTEサービスの端末の2G/3Gのネットワークアップリンク信号品質パラメータおよび/または2G/3Gのネットワークダウンリンク信号品質パラメータに基づいて、端末の2G/3Gのネットワーク信号品質がVoLTEサービスを満足することができないと決定し得る。
【０１３９】
必要に応じて、端末の2G/3Gのネットワークアップリンク信号品質パラメータは、端末の2G/3Gのネットワークアップリンク信号強度、端末の2G/3Gのネットワークアップリンク信号対雑音比、または端末の2G/3Gのネットワークアップリンクパケットロスレートのうちの少なくとも1つを含み得る。具体的には、例えば、端末の2G/3Gのネットワークアップリンク信号強度が第7の閾値未満であり、端末の2G/3Gのネットワークアップリンク信号対雑音比が第8の閾値未満であり、および/または端末の2G/3Gのネットワークアップリンクパケットロスレートが第9の閾値より大きい場合には、端末の2G/3Gのネットワークアップリンク信号品質が音声サービスを満足することができないとみなしてもよい。
【０１４０】
必要に応じて、端末の2G/3Gのネットワークダウンリンク信号品質パラメータは、端末の2G/3Gのネットワークダウンリンク信号強度、端末の2G/3Gのネットワークダウンリンク信号対雑音比、または端末の2G/3Gのネットワークダウンリンクパケットロスレートのうちの少なくとも1つを含む。具体的には、例えば、端末の2G/3Gのネットワークダウンリンク信号強度が第10の閾値未満であり、端末の2G/3Gのネットワークダウンリンク信号対雑音比が第11の閾値未満であり、および/または端末の2G/3Gのネットワークダウンリンクパケットロスレートが第12の閾値より大きい場合には、端末の2G/3Gのネットワークダウンリンク信号品質が音声サービスを満足することができないとみなしてもよい。
【０１４１】
端末の2G/3Gのネットワークアップリンク信号品質パラメータおよび2G/3Gのネットワークダウンリンク信号品質パラメータの双方に基づいて、端末の2G/3Gのネットワーク信号品質が音声サービスを満足することができるかどうかを決定するケースが同様に導かれ得ることは理解されよう。
【０１４２】
必要に応じて、本発明のいくつかの可能な実施方式においては、アクセスネットワークデバイスによって、コアネットワークデバイスから、VoLTEサービスのベアラセットアップ要求メッセージを受信するステップの後に、方法は、アクセスネットワークデバイスによって、第2の測定制御命令を端末に送信するステップであって、第2の測定制御命令は、2G/3Gのネットワーク信号品質を測定するように端末に命令するために使用される、ステップと、アクセスネットワークデバイスによって、第2の測定制御命令に応答して端末によって送信された第2の測定レポートを受信するステップであって、第2の測定レポートは、端末の2G/3Gのネットワークダウンリンク信号品質パラメータを搬送する、ステップとをさらに含み得る。すなわち、アクセスネットワークデバイスが、コアネットワークデバイスから、VoLTEサービスのベアラセットアップ要求メッセージを受信した後に、アクセスネットワークデバイスは、リアルタイムで端末の2G/3Gのネットワークダウンリンク信号品質パラメータを取得するように端末に命令し得るし、リアルタイムで端末によって取得された2G/3Gのダウンリンク信号品質パラメータに従って、端末の2G/3Gのネットワーク信号品質が音声サービスを満足することができるかどうかを決定し得る。
【０１４３】
以下では、Long Term Evolutionネットワークのコアネットワークデバイスの観点からの説明を提供している。
【０１４４】
サービス処理方法は、LTEネットワークのコアネットワークデバイスによって、VoLTEサービスのベアラセットアップ要求メッセージをLong Term Evolutionネットワークのアクセスネットワークデバイスに送信するステップと、コアネットワークデバイスによって、通知メッセージをLong Term Evolutionネットワークのアクセスネットワークデバイスに送信するステップであって、通知メッセージは、VoLTEサービスの端末が回線交換ドメインに登録済みであったことを示すために使用される指示情報を搬送し、通知メッセージは、VoLTEサービスの端末の信号品質がVoLTEサービスを満足することができないと決定した場合には、ベアラセットアップ要求メッセージが拒否される前に、端末が回線交換ドメインに登録済みであったと決定するためにアクセスネットワークデバイスによって使用される、ステップとを含む。
【０１４５】
以下では、被呼端末の観点からの説明を提供している。
【０１４６】
図2を参照すれば、図2は、本発明の別の実施形態による、別のサービス処理方法の概略フローチャートである。図2中の例において示しているように、本発明の別の実施形態において提供した別のサービス処理方法は、以下のステップを含み得る。
【０１４７】
201: 端末が、IMSネットワークから、VoLTEサービスのコール要求メッセージを受信する。
【０１４８】
コール要求メッセージは、招待(invite)メッセージまたはVoLTEサービスを確立するために使用される別のメッセージであり得る。
【０１４９】
202: 端末が、端末のLTEネットワーク信号品質がVoLTEサービスを満足することができないと決定した場合には、コール要求メッセージを拒否する。
【０１５０】
端末のLTEネットワーク信号品質がVoLTEサービスを満足することができないということが、端末のLTEネットワーク信号品質がVoLTEサービスのユーザプレーンベアラ(例えば、QCI=1のベアラ)を満足することができない、すなわち、端末のLTEネットワーク信号品質がVoLTEサービスのユーザプレーンベアラのための(に必要な)LTEネットワーク信号品質条件を満たすことができないことを特に指し得ることは理解されよう。
【０１５１】
本実施形態の技術的ソリューションにおいては、端末が、IMSネットワークから、VoLTEサービスのコール要求メッセージを受信した後に、端末が、端末のLTEネットワーク信号品質がVoLTEサービスを満足することができないと決定した場合には、コール要求メッセージを拒否することは理解されよう。すなわち、VoLTEサービスのベアラセットアッププロセスにおいて、被呼端末のLTEネットワーク信号品質がVoLTEサービスを満足することができないことに被呼端末が気付いた場合には、被呼端末は、確立されるVoLTEサービスの安定性をある程度改善することを支援し、それによって、ユーザの通話体験を改善するために、VoLTEサービスのベアラセットアップを停止する。例えば、今日においても、電波の弱いLTEネットワークカバレッジを有する多くのエリアがまだ存在しており、事業者は、各エリアのLTEネットワークのLTEネットワーク信号品質が良好であることを保証することができていない。例えば、一般的に、LTEネットワークのセルエッジカバレッジは比較的電波の弱いことがしばしばあり、LTEネットワークセルエッジの電波の弱いカバレッジのせいで、端末がこれらのエリア内でVoLTEサービスのセットアップを開始することができない場合があり、本実施形態の技術的ソリューションが使用された後には、このことが、端末が別の方式でコールサービスを確立することができるようにすることにさらに一役買っており、成功裏に確立されるコールサービスの安定性を改善するのに一役買うことになる。
【０１５２】
必要に応じて、コール要求メッセージを拒否するステップは、端末によって、コール要求メッセージを拒否するための応答メッセージをIMSネットワークに送信するステップであって、応答メッセージは、回線交換フォールバックコールを開始するように端末をトリガするためにIMSネットワークにおいて使用される、ステップを含み得る。
【０１５３】
必要に応じて、応答メッセージは、例えば、一時的に利用不可能な(temporarily unavailable)応答メッセージであり得る。具体的には、例えば、一時的に利用不可能な応答メッセージは、480応答メッセージであり得る。
【０１５４】
必要に応じて、端末は、端末のLTEネットワークアップリンク信号品質パラメータおよび/またはLTEネットワークダウンリンク信号品質パラメータに基づいて、端末のLTEネットワーク信号品質がVoLTEサービスを満足することができないと決定し得る。
【０１５５】
必要に応じて、端末のLTEネットワークアップリンク信号品質パラメータは、端末のLTEネットワークアップリンク信号強度、端末のLTEネットワークアップリンク信号対雑音比、または端末のLTEネットワークアップリンクパケットロスレートのうちの少なくとも1つを含み得る。具体的には、例えば、端末のLTEネットワークアップリンク信号強度が第1の閾値未満であり、端末のLTEネットワークアップリンク信号対雑音比が第2の閾値未満であり、および/または端末のLTEネットワークアップリンクパケットロスレートが第3の閾値より大きい場合には、端末のLTEネットワークアップリンク信号品質がVoLTEサービスを満足することができないとみなしてもよい。
【０１５６】
必要に応じて、端末のLTEネットワークダウンリンク信号品質パラメータは、端末のLTEネットワークダウンリンク信号強度、端末のLTEネットワークダウンリンク信号対雑音比、または端末のLTEネットワークダウンリンクパケットロスレートのうちの少なくとも1つを含む。具体的には、例えば、端末のLTEネットワークダウンリンク信号強度が第4の閾値未満であり、端末のLTEネットワークダウンリンク信号対雑音比が第5の閾値未満であり、および/または端末のLTEネットワークダウンリンクパケットロスレートが第6の閾値より大きい場合には、端末のLTEネットワークダウンリンク信号品質がVoLTEサービスを満足することができないとみなしてもよい。
【０１５７】
端末のLTEネットワークアップリンク信号品質パラメータおよびLTEネットワークダウンリンク信号品質パラメータの双方に基づいて、端末のLTEネットワーク信号品質がVoLTEサービスを満足することができるかどうかを決定するケースが同様に導かれ得ることは理解されよう。
【０１５８】
必要に応じて、端末が、IMSネットワークから、VoLTEサービスのコール要求メッセージを受信した後に、端末は、LTEネットワークダウンリンク信号品質を測定して、端末のLTEネットワークダウンリンク信号品質パラメータを取得し得る。すなわち、IMSネットワークから、VoLTEサービスのコール要求メッセージを受信した後に、端末は、リアルタイムで端末のLTEネットワークダウンリンク信号品質パラメータを取得し得るし、リアルタイムで端末によって取得されたLTEネットワークダウンリンク信号品質パラメータに従って、端末のLTEネットワーク信号品質がVoLTEサービスを満足することができるかどうかを決定し得る。
【０１５９】
必要に応じて、端末が、IMSネットワークから、VoLTEサービスのコール要求メッセージを受信した後に、端末は、アクセスネットワークデバイスから、端末のLTEネットワークアップリンク信号品質パラメータを取得する。すなわち、IMSネットワークから、VoLTEサービスのコール要求メッセージを受信した後に、端末は、アクセスネットワークデバイスから端末のLTEネットワークアップリンク信号品質パラメータをリアルタイムで取得し得るし、取得したLTEネットワークアップリンク信号品質パラメータに従って、端末のLTEネットワーク信号品質がVoLTEサービスを満足することができるかどうかを決定し得る。
【０１６０】
以下では、発呼端末の観点からの説明を提供している。
【０１６１】
図3を参照すれば、図3は、本発明の別の実施形態による、別のサービス処理方法の概略フローチャートである。図3中の例において示しているように、本発明の別の実施形態において提供した別のサービス処理方法は、以下のステップを含み得る。
【０１６２】
301: 端末が、VoLTEサービスを確立するように命令するユーザ命令を受信する。
【０１６３】
例えば、ある端末のユーザがVoLTEサービスに基づいて別のユーザと通話することを望む場合には、ユーザは、VoLTEサービスを確立するように命令するユーザ命令を送信し得る。
【０１６４】
302: 端末が、端末のLTEネットワーク信号品質がVoLTEサービスを満足することができないと決定した場合には、回線交換ドメインにおいてVoLTEサービスの被呼端末に発呼する。
【０１６５】
具体的には、例えば、端末のLTEネットワーク信号品質がVoLTEサービスを満足することができないと端末が決定した場合には、端末は、回線交換ドメインにフォールバックするためにCSFBプロシージャを開始し、回線交換ドメインにおいてVoLTEサービスの被呼端末に発呼する。
【０１６６】
本実施形態の技術的ソリューションにおいては、端末がVoLTEサービスを確立するように命令するユーザ命令を受信した後に、端末が、端末のLTEネットワーク信号品質がVoLTEサービスを満足することができないと決定した場合には、回線交換ドメインにおいてVoLTEサービスの被呼端末に発呼する、すなわち、VoLTEサービスのセットアップベアラを準備する前に、発呼端末のLTEネットワーク信号品質がVoLTEサービスを満足することができないことに発呼端末が気付いた場合には、発呼端末が、確立されるコールサービスの安定性をある程度改善することを支援し、それによって、ユーザの通話体験を改善するために、VoLTEサービスのベアラセットアップを停止し、回線交換ドメイン接続を確立するために直ちに変更することは理解されよう。例えば、今日においても、電波の弱いLTEネットワークカバレッジを有する多くのエリアがまだ存在しており、事業者は、各エリアのLTEネットワークの信号品質が良好であることを保証することができていない。例えば、一般的に、LTEネットワークのセルエッジカバレッジは比較的電波の弱いことがしばしばあり、LTEネットワークセルエッジの電波の弱いカバレッジのせいで、端末がこれらのエリア内でVoLTEサービスのセットアップを開始することができない場合があり、本実施形態の技術的ソリューションが使用された後には、このことが、端末が別の方式でコールサービスを確立することができるようにすることにさらに一役買っており、成功裏に確立されるコールサービスの安定性を改善するのに一役買うことになる。
【０１６７】
必要に応じて、端末は、端末のLTEネットワークアップリンク信号品質パラメータおよび/またはLTEネットワークダウンリンク信号品質パラメータに基づいて、端末のLTEネットワーク信号品質がVoLTEサービスを満足することができないと決定し得る。
【０１６８】
必要に応じて、端末のLTEネットワークアップリンク信号品質パラメータは、端末のLTEネットワークアップリンク信号強度、端末のLTEネットワークアップリンク信号対雑音比、または端末のLTEネットワークアップリンクパケットロスレートのうちの少なくとも1つを含み得る。具体的には、例えば、端末のLTEネットワークアップリンク信号強度が第1の閾値未満であり、端末のLTEネットワークアップリンク信号対雑音比が第2の閾値未満であり、および/または端末のLTEネットワークアップリンクパケットロスレートが第3の閾値より大きい場合には、端末のLTEネットワークアップリンク信号品質がVoLTEサービスを満足することができないとみなしてもよい。
【０１６９】
必要に応じて、端末のLTEネットワークダウンリンク信号品質パラメータは、端末のLTEネットワークダウンリンク信号強度、端末のLTEネットワークダウンリンク信号対雑音比、または端末のLTEネットワークダウンリンクパケットロスレートのうちの少なくとも1つを含む。具体的には、例えば、端末のLTEネットワークダウンリンク信号強度が第4の閾値未満であり、端末のLTEネットワークダウンリンク信号対雑音比が第5の閾値未満であり、および/または端末のLTEネットワークダウンリンクパケットロスレートが第6の閾値より大きい場合には、端末のLTEネットワークダウンリンク信号品質がVoLTEサービスを満足することができないとみなしてもよい。
【０１７０】
端末のLTEネットワークアップリンク信号品質パラメータおよびLTEネットワークダウンリンク信号品質パラメータの双方に基づいて、端末のLTEネットワーク信号品質がVoLTEサービスを満足することができるかどうかを決定するケースが同様に導かれ得ることは理解されよう。
【０１７１】
必要に応じて、端末がVoLTEサービスを確立するように命令するユーザ命令を受信した後に、端末は、LTEネットワークダウンリンク信号品質を測定して、端末のLTEネットワークダウンリンク信号品質パラメータを取得し得る。すなわち、VoLTEサービスを確立するように命令するユーザ命令を受信した後に、端末は、リアルタイムで端末のLTEネットワークダウンリンク信号品質パラメータを取得し得るし、リアルタイムで端末によって取得されたLTEネットワークダウンリンク信号品質パラメータに従って、端末のLTEネットワーク信号品質がVoLTEサービスを満足することができるかどうかを決定し得る。
【０１７２】
必要に応じて、端末がVoLTEサービスを確立するように命令するユーザ命令を受信した後に、端末は、アクセスネットワークデバイスから、端末のLTEネットワークアップリンク信号品質パラメータを取得する。すなわち、VoLTEサービスを確立するように命令するユーザ命令を受信した後に、端末は、アクセスネットワークデバイスから端末のLTEネットワークアップリンク信号品質パラメータをリアルタイムで取得し得るし、取得したLTEネットワークアップリンク信号品質パラメータに従って、端末の信号品質がVoLTEサービスを満足することができるかどうかを決定し得る。
【０１７３】
必要に応じて、本発明のいくつかの可能な実施方式においては、回線交換ドメインにおいてVoLTEサービスの被呼端末に発呼するステップの前に、方法は、端末によって、端末が回線交換ドメインに登録済みであったと決定するステップをさらに含む。
【０１７４】
必要に応じて、本発明のいくつかの可能な実施方式においては、回線交換ドメインにおいてVoLTEサービスの被呼端末に発呼するステップの前に、方法は、端末によって、端末が回線交換ドメインに登録済みではなかった場合には、回線交換ドメインに登録するステップをさらに含む。
【０１７５】
必要に応じて、本発明のいくつかの可能な実施方式においては、端末によって、回線交換ドメインに登録するステップは、端末によって、複合アタッチ方式で回線交換ドメインに登録するステップ、または、端末によって、リセレクションプロセスにより回線交換ドメインにキャンプオンし、回線交換ドメインに登録するステップを含む。
【０１７６】
すなわち、端末は、端末が回線交換ドメインに登録済みであったと決定した場合にのみ、回線交換ドメインにおいてVoLTEサービスの被呼端末に発呼し得るし、端末が回線交換ドメインに登録済みではなかったと端末が決定した場合には、端末は、回線交換ドメインにおいてVoLTEサービスの被呼端末に発呼し得ない。
【０１７７】
必要に応じて、本発明のいくつかの可能な実施方式においては、回線交換ドメインにおいてVoLTEサービスの被呼端末に発呼するステップの前に、方法は、端末によって、回線交換ドメインのネットワーク信号品質が音声サービスを満足していると決定するステップをさらに含む。すなわち、端末は、回線交換ドメインのネットワーク信号品質が音声サービスを満足する場合にのみ、回線交換ドメインにおいてVoLTEサービスの被呼端末に発呼し得るし、回線交換ドメインのネットワーク信号品質が音声サービスを満足することができないと端末が決定した場合には、端末は、回線交換ドメインにおいてVoLTEサービスの被呼端末に発呼し得ない。
【０１７８】
必要に応じて、本発明のいくつかの可能な実施方式においては、端末によって、回線交換ドメインにおいてVoLTEサービスの被呼端末に発呼するステップの前に、端末の信号品質がVoLTEサービスを満足することができないと決定した場合には、方法は、端末によって、Long Term Evolutionネットワークから通知メッセージを受信するステップであって、通知メッセージは、端末のLong Term Evolutionネットワークアップリンク信号品質パラメータおよび/またはLong Term Evolutionネットワークダウンリンク信号品質パラメータを搬送し、通知メッセージは、端末のLong Term Evolutionネットワーク信号品質がVoLTEサービスを満足することができないと決定するために端末によって使用される、ステップをさらに含み得る。例えば、通知メッセージは、Long Term Evolutionネットワークのアクセスネットワークデバイスからのものである。
【０１７９】
本発明の実施形態の前述の技術的ソリューションをより良く理解および実施するために、いくつかの特定の適用シナリオを参照して詳細な説明を以下に提供している。
【０１８０】
図4を参照すれば、図4は、本発明の別の実施形態による、別のサービス処理方法の概略フローチャートである。図4中の例において示しているように、本発明の別の実施形態において提供した別のサービス処理方法は、以下のステップを含み得る。
【０１８１】
S401: 発呼UEが、招待(invite)メッセージを送信することによってVoLTEサービスのセットアップを開始する。
【０１８２】
S402: 発呼側P-CSCFが、inviteメッセージを発呼UEから受信する、ここで、受信したinviteメッセージは、発呼UEのためのIMS発呼セッションを確立するように発呼側P-CSCFをトリガし、発呼側P-CSCFが、inviteメッセージを後続のIMSノード(例えば、S-CSCFまたはSCC ASなどのIMSノード)に送信する。
【０１８３】
後続のIMSノードは、受信したinviteメッセージを処理することを開始し、被呼UEは、ネットワークサイドによって転送されたinviteメッセージを受信し得る。
【０１８４】
S403: 発呼側P-CSCFが発呼側S-CSCFによって送信された183応答メッセージを受信した場合には、発呼側P-CSCFが、183応答メッセージを発呼UEに転送し得る。
【０１８５】
S404: 発呼側P-CSCFが、VoLTEサービスの専用ベアラのセットアップをトリガするために認証承認要求をPCRFに送信する。当然のことながら、発呼側P-CSCFは、183応答メッセージを受信する前に、VoLTEサービスの専用ベアラのセットアップをトリガしてもよい、すなわち、発呼側P-CSCFは、inviteメッセージを受信した際に、VoLTEサービスの専用ベアラのセットアッププロシージャをトリガする。
【０１８６】
認証承認要求(AAR、Authentication Authorization Request)は、発呼UEのユーザ識別子、IMSアプリケーションレイヤ課金識別子、メディア記述情報などを搬送し得る。メディア記述情報は、分類器識別子、帯域幅要件記述情報、メディアタイプ記述情報、またはQoSパラメータ、といった情報の少なくとも1つを含み得る。
【０１８７】
S405: PCRFが、AARを受信する。
【０１８８】
PCRFは、VoLTEサービスのユーザプレーンデータ専用ベアラをセットアップするようにPGWをトリガするために、AARにおいて搬送されたメディア記述情報に従って、QoSルール(rules)をPGWに搬送する再認証要求(RAR、Re-authentication Request)を送信し得る。一般的に、VoLTEサービスのユーザプレーンデータ専用ベアラのサービス品質クラス識別子(QCI)は1に等しい。
【０１８９】
QoSルールは、QoSキーパラメータを含む。
【０１９０】
QoSキーパラメータは、保証ビットレート(GBR、Guaranteed Bit Rate)、割り振り/保持優先度(ARP、Allocation/Retention Priority)、サービス品質クラス識別子(QCI)、最大ビットレート(MBR、Maximum Bit Rate)、および/またはそれらに類するものを含み得る。
【０１９１】
S406: PGWが、RARメッセージをPCRFから受信し、PGWが、PCRFに、RAR要求に応答するために使用される再認証応答(RAA、Re-authentication Answer)メッセージを送信する。
【０１９２】
S407: PCRFエンティティが、RAAメッセージをPGWから受信し、RAAメッセージを受信した後に、PCRFが、認証承認応答(AAA、Authentication Authorization Answer)メッセージを発呼側P-CSCFに送信する。
【０１９３】
S408: PGWがPCRFエンティティによって送信されたRAR要求を受信した後に、PGWがRARメッセージにおいて搬送されたQoSパラメータに従ってQCI=1の専用ベアラのセットアップをトリガした場合には、PGWが、ベアラ作成要求(create bearer request)メッセージをSGWに送信し得る。
【０１９４】
SGWは、ベアラ作成要求メッセージをPGWから受信し、SGWは、受信したベアラ作成要求メッセージに従ってMMEにベアラ作成要求メッセージを送信する。
【０１９５】
S409: MMEが、対応するエアインターフェースリソースおよび対応するS1インターフェースリソースをQCI=1の専用ベアラに割り振るようにeNBに要求するためにベアラセットアップ要求(bearer setup request)メッセージをeNBに送信する。
【０１９６】
S410: eNBが、MMEによって送信されたベアラセットアップ要求メッセージを受信し、VoLTEサービスのユーザプレーンデータ専用ベアラ、特に、QCI=1の専用ベアラのセットアップが要求されたと決定する。
【０１９７】
eNBは、発呼UEの現在のLTEネットワーク信号品質がQCI=1の専用ベアラをセットアップするための信号品質条件を満たすことができるかどうかを決定する。
【０１９８】
例えば、発呼UEの現在のLTEネットワーク信号品質がQCI=1の専用ベアラをセットアップするための信号品質条件を満たすことができるかどうかをeNBが決定することは、発呼UEのLTEネットワーク信号品質パラメータに基づいて、発呼UEの現在のLTEネットワーク信号品質がQCI=1の専用ベアラをセットアップするための信号品質条件を満たすことができるかどうかを決定することを含み得る。発呼UEのLTEネットワーク信号品質パラメータは、発呼UEのLTEネットワークアップリンク信号品質パラメータおよび発呼UEのLTEネットワークダウンリンク信号品質パラメータを含む。
【０１９９】
必要に応じて、発呼UEのLTEネットワークアップリンク信号品質パラメータは、発呼UEのLTEネットワークアップリンク信号強度、発呼UEのLTEネットワークアップリンク信号対雑音比、発呼UEのLTEネットワークアップリンクパケットロスレート、および/またはそれらに類するものを含む。
【０２００】
必要に応じて、発呼UEのLTEネットワークダウンリンク信号品質パラメータは、発呼UEのLTEネットワークダウンリンク信号強度、発呼UEのLTEネットワークダウンリンク信号対雑音比、発呼UEのLTEネットワークダウンリンクパケットロスレート、および/またはそれらに類するものを含む。
【０２０１】
具体的には、例えば、eNBがMMEによって送信されたベアラセットアップ要求メッセージを受信した後に、eNBは、測定制御命令を発呼UEに送信し、測定制御命令に応答して発呼UEによって送信された測定レポートを受信し得る、ここで、測定レポートは、発呼UEのLTEネットワークダウンリンク信号品質パラメータを搬送する。
【０２０２】
本実施形態においては、発呼UEの現在のLTEネットワーク信号品質がQCI=1の専用ベアラをセットアップするための信号品質条件を満たすことができないとeNBが決定したケースを例として主に使用する。
【０２０３】
S411: 発呼UEの現在のLTEネットワーク信号品質がQCI=1の専用ベアラをセットアップするための信号品質条件を満たすことができないとeNBが決定した場合には、eNBが、ベアラセットアップ要求メッセージを拒否し得るし、eNBが、ベアラセットアップ応答メッセージをMMEに返信し得る。
【０２０４】
ベアラセットアップ応答メッセージは、QCI=1のベアラのセットアップ失敗を示すために使用される指示情報要素を搬送するとともに、ベアラセットアップ失敗の要因値を搬送し得る。
【０２０５】
要因値は、特に、Radio resources not available、Failure in the Radio Interface Procedure、またはNot supported QCI valueであり得るし、要因値は、標準規格に定義されていない要因値であってもよく、このことは本明細書に限定されない。
【０２０６】
必要に応じて、eNBがベアラセットアップ要求メッセージを拒否する前に、eNBが、VoLTEサービスの発呼UEの2G/3Gのネットワーク信号品質が音声サービスを満足しているとさらに決定し得る。例えば、eNBは、第2の測定制御命令を発呼UEに送信することであって、第2の測定制御命令は、2G/3Gのネットワーク信号品質を測定するように発呼UEに命令するために使用される、送信することをし、eNBは、第2の測定制御命令に応答して発呼UEによって送信された第2の測定レポートを受信することであって、第2の測定レポートは、発呼UEの2G/3Gのネットワークダウンリンク信号品質パラメータを搬送する、受信することをする。eNBは、例えば、第2の測定レポートに基づいて、発呼UEの現在のLTEネットワーク信号品質が音声サービスを満足することができるかどうかを決定する。
【０２０７】
必要に応じて、eNBがベアラセットアップ要求メッセージを拒否する前に、eNBは、VoLTEサービスの端末が回線交換ドメインに登録済みであったとさらにまず決定し得る。例えば、ベアラセットアップ要求メッセージを拒否する前に、eNBは、通知メッセージをMMEから受信し得る、ここで、通知メッセージは、発呼UEが回線交換ドメインに登録済みであったことを示すために使用される指示情報を搬送する。
【０２０８】
具体的には、例えば、通知メッセージは、特に、ダウンリンク非アクセス層トランスポートメッセージ(DOWNLINK NAS TRANSPORT)、初期コンテキストセットアップ要求メッセージ(INITIAL CONTEXT SETUP REQUEST)、またはUEコンテキスト修正要求メッセージ(UE CONTEXT MODIFICATION REQUEST)であり得る。あるいは、MMEによって送信されeNBによって受信されるベアラセットアップ要求メッセージは、端末が回線交換ドメインに登録済みであったことを示すために使用される指示情報を搬送する。
【０２０９】
S412: MMEが、ベアラ作成応答(create bearer response)メッセージをSGWに送信する。
【０２１０】
ベアラセットアップ応答メッセージは、ベアラセットアップの拒否に関する要因値を搬送し、MMEにおいて搬送された要因値は、eNBから取得した要因値に関連して設定され得る。
【０２１１】
S413: SGWが、ベアラ作成応答メッセージをMMEから受信し、SGWが、受信したベアラ作成応答メッセージに従ってPGWにベアラ作成応答メッセージを送信する。
【０２１２】
PGWは、クレジット制御要求(CCR、Credit Control Request)メッセージをPCRFエンティティに送信し、CCRメッセージは、QCI=1の専用ベアラのセットアップ失敗を示すために使用される指示を搬送するとともに、専用ベアラのセットアップ失敗の要因値を搬送し、要因値は、ベアラ作成応答メッセージにおいて搬送される要因値に関連して特に設定される。
【０２１３】
S414: PCRFエンティティが、クレジット制御応答(CCA、Credit Control Answer)メッセージをPGWに送信する。
【０２１４】
S415: PCRFエンティティが、CCRメッセージに従って発呼側P-CSCFに再認証要求(RAR、Re-authentication Request)メッセージ/セッション中止要求(ASR、Abort-Session-Request)メッセージを送信する、ここで、RARメッセージ/ASRメッセージは、ベアラリソースが不十分であることを示すために使用される指示情報またはリソース割り振り失敗を示すために使用される指示情報を搬送し得る。
【０２１５】
S416: 発呼側P-CSCFが、再認証応答(RAA、Re-authentication Answer)メッセージ/セッション中止応答(ASA、Abort-Session-Answer)メッセージをPCRFエンティティに送信する。
【０２１６】
S417: ベアラリソースが不十分であることを示すために使用される指示情報またはリソース割り振り失敗を示すために使用される指示情報を獲得した後に、発呼側P-CSCFが、380応答メッセージまたは503応答メッセージを発呼UEに送信する。
【０２１７】
必要に応じて、ベアラリソースが不十分であることを示すために使用される指示情報またはリソース割り振り失敗を示すために使用される指示情報を獲得した後に、事業者のP-CSCFは、異なる応答メッセージを送信する。VoLTEローミングを解決するために、P-CSCFは、発呼UEがローミング加入者であるかどうかに従って異なる応答メッセージを配信し得る、例えば、事業者Aに関する380メッセージを送信し、事業者Bに関する503メッセージを送信し得る。
【０２１８】
さらに、380応答メッセージなどの第1の応答メッセージの送信が本シナリオにおいて推奨されると標準規格に定義されている場合には、ベアラリソースが不十分であることを示すために使用される指示情報またはリソース割り振り失敗を示すために使用される指示情報をP-CSCFが取得した後に、P-CSCFは、VoLTEユーザがローミング加入者であると決定し、P-CSCFは、第1の応答メッセージを送信し得る。
【０２１９】
要約すれば、VoLTEユーザがローミング加入者であるとP-CSCFが決定した場合には、P-CSCFは、ローミング加入者が属するPLMNに従って第1の応答メッセージを送信し得る。必要に応じて、P-CSCFは、第2の応答メッセージをすべてのローミング加入者に一様に送信する。VoLTEユーザがローミング加入者ではないとP-CSCFが決定した場合には、P-CSCFは、設定に従って第3の応答メッセージを送信する。
【０２２０】
加えて、必要に応じて、VoLTEコールが失敗した場合には、IMSネットワークは、異なる要因に従って、2/3Gの回線交換ドメインにおいて発呼を開始するように、または、LTEネットワークもしくはWiFiネットワークに継続して留まりVoWiFiコールを開始するように、または、LTEネットワークにおいて発呼を継続して開始するように、UEに命令する。
【０２２１】
具体的には、例えば、以下の通りである。
1) P-CSCFが、PCRFから、ベアラリソースが不十分であることを示すために使用される指示情報またはリソース割り振り失敗を示すために使用される指示情報を取得した後に、P-CSCFは、第3の応答メッセージを送信して、2/3Gの回線交換ドメインにおいて発呼を開始するようにUEに命令する。
2) P-CSCFが、PCRFから、ベアラリソースが不十分であることを示すために使用される指示情報またはリソース割り振り失敗を示すために使用される指示情報を取得した後に、P-CSCFは、第4の応答メッセージを送信して、WiFiネットワークにおいてVoWiFiコールを開始するようにUEに命令する。
3) 輻輳がP-CSCFにおいて生じたためVoLTEコールが失敗すると、P-CSCFは、第5の応答メッセージを送信して、LTEネットワークにおいて発呼を継続して開始するようにUEに命令する。
【０２２２】
さらに、第5の応答メッセージは、異なるP-CSCFを使用して発呼を開始するようにUEに命令する。
【０２２３】
S418: 発呼側P-CSCFが183応答メッセージを受信していた場合には、発呼側P-CSCFが、要求されていたVoLTEサービス関連のコールを中止するために、中止(cancel)メッセージを発呼側S-CSCFなどのデバイスに送信し得る。
【０２２４】
発呼側P-CSCFが183応答メッセージを受信していない場合には、発呼側P-CSCFは、発呼側S-CSCFなどのデバイスを用いることなく被呼UEに中止メッセージを送信し得る。
【０２２５】
S419: 発呼側P-CSCFによって送信された380または503メッセージを受信した後に、発呼UEが、発呼ドメインリセレクションを行い、CSFBコールを開始し得る。UEサイドとネットワークサイドとが、CSFBプロシージャを協調して実行し、CSドメインにおいて音声コールを最終的に確立し得る。
【０２２６】
前述のプロセスにおいては、ENBは、発呼UEの現在のLTEネットワーク信号品質がQCI=1のベアラの要件を満たしていないと決定した場合には、ベアラセットアップ要求を直ちに拒否する、それによって、VoLTEコールをCSFBコールに切り替えている。しかしながら、本発明の別の実施形態においては、現在のLTE信号品質がQCI=1のベアラの要件を満たしていないと決定した場合には、ENBは、VoLTEコールを成功裏に確立するためにベアラセットアップ要求を受理し得る。しかしながら、それ以降、ENBは、例えば、対応する元の128QAMから64QAMに下げるといった、より下位の符号化スキームを使用して、UEの現在のLTE信号品質に従ってQCI=1のベアラ上でデータを送信する。
【０２２７】
本実施形態の技術的ソリューションが使用された後には、発呼UEがVoLTEサービスの信号品質要件を満たすことができない電波の弱いLTEカバレッジエリア(例えば、電波の弱いLTE屋内カバレッジ)に位置している場合には、呼損、劣悪なセッション品質、またはVoLTEサービスコールを作成することによって引き起こされる大きな呼確立遅延などといった技術的問題を可能な限り回避するために、CSFBコールを、VoLTEサービスコールの代わりに発呼音声セッション作成フェーズにおいて使用することができることを保証している。
【０２２８】
加えて、VoLTEサービスコールは、eNB信号品質の評価結果の制御から解放され得るし、その代わりに、セルレベルのVoLTEコール制御スイッチが、事業者のポリシーに従って提供される。すなわち、いくつかの特定のLTEセルについては、事業者は、VoLTEのセットアップを許可しない、例えば、QCI=1のベアラをセットアップするためにMMEによって送信された要求を受信した場合には、eNBは、ベアラセットアップ要求を直ちに拒否する。
【０２２９】
図5を参照すれば、図5は、本発明の別の実施形態による、別のサービス処理方法の概略フローチャートである。図5中の例において示しているように、本発明の別の実施形態において提供した別のサービス処理方法は、以下のステップを含み得る。
【０２３０】
S501: 被呼側P-CSCFが、被呼側S-CSCFによって送信されたinviteメッセージを受信する、ここで、受信したinviteメッセージは、被呼UEのためのIMS被呼セッションを確立するように被呼側P-CSCFをトリガし得るし、被呼側P-CSCFは、inviteメッセージを被呼UEに継続して送信する。
【０２３１】
S502: inviteメッセージを受信した後に、被呼UEが、183応答メッセージを被呼側P-CSCFに返信する。
【０２３２】
S503: 被呼側P-CSCFが183応答メッセージを受信した場合には、被呼側P-CSCFが、183応答メッセージを被呼側S-CSCFに送信し、被呼側S-CSCFが、183応答メッセージを発呼側S-CSCFにさらに送信し得るし、発呼側S-CSCFが、183応答メッセージを発呼側P-CSCFにさらに送信し、発呼側P-CSCFが発呼側S-CSCFによって送信された183応答メッセージを受信した場合には、発呼側P-CSCFが、183応答メッセージを発呼UEに転送し得る。
【０２３３】
S504: 被呼側P-CSCFが、VoLTEサービスの専用ベアラのセットアップをトリガするために、認証承認要求をPCRFに送信する。当然のことながら、被呼側P-CSCFは、183応答メッセージを受信する前に、VoLTEサービスの専用ベアラのセットアップをトリガしてもよい、すなわち、被呼側P-CSCFは、inviteメッセージを受信した際に、VoLTEサービスの専用ベアラのセットアッププロシージャをトリガする。
【０２３４】
認証承認要求(AAR、Authentication Authorization Request)は、被呼UEのユーザ識別子、IMSアプリケーションレイヤ課金識別子、メディア記述情報などを搬送し得る。メディア記述情報は、分類器識別子、帯域幅要件記述情報、メディアタイプ記述情報、またはQoSパラメータ、といった情報の少なくとも1つを含み得る。
【０２３５】
S505: PCRFが、AARを受信し、PCRFが、VoLTEサービスのユーザプレーンデータ専用ベアラをセットアップするようにPGWをトリガするために、AARにおいて搬送されたメディア記述情報に従って、QoSルールをPGWに搬送する再認証要求(RAR、Re-authentication Request)を送信する。一般的に、VoLTEサービスのユーザプレーンデータ専用ベアラのサービス品質クラス識別子(QCI、QoS Class Identifier)は1に等しい。
【０２３６】
QoSルールは、QoSキーパラメータを含む。
【０２３７】
QoSキーパラメータは、保証ビットレート(GBR、Guaranteed Bit Rate)、割り振り/保持優先度(ARP、Allocation/Retention Priority)、サービス品質クラス識別子(QCI)、最大ビットレート(MBR、Maximum Bit Rate)、および/またはそれらに類するものを含み得る。
【０２３８】
S506: PGWが、RARメッセージをPCRFから受信し、PGWが、PCRFに、RAR要求に応答するために使用される再認証応答(RAA、Re-authentication Answer)メッセージを送信する。
【０２３９】
S507: PCRFエンティティが、RAAメッセージをPGWから受信し、RAAメッセージを受信した後に、PCRFが、認証承認応答(AAA、Authentication Authorization Answer)メッセージを被呼側P-CSCFに送信する。
【０２４０】
S508: PGWがPCRFエンティティによって送信されたRAR要求を受信した後に、PGWがRARメッセージにおいて搬送されたQoSパラメータに従ってQCI=1の専用ベアラのセットアップをトリガした場合には、PGWが、ベアラ作成要求(create bearer request)メッセージをSGWに送信し得る。
【０２４１】
SGWは、ベアラ作成要求メッセージをPGWから受信し、SGWは、受信したベアラ作成要求メッセージに従ってMMEにベアラ作成要求メッセージを送信する。
【０２４２】
S509: MMEが、対応するエアインターフェースリソースおよび対応するS1インターフェースリソースをQCI=1の専用ベアラに割り振るようにeNBに要求するためにベアラセットアップ要求(bearer setup request)メッセージをeNBに送信する。
【０２４３】
S510: eNBが、MMEによって送信されたベアラセットアップ要求メッセージを受信し、VoLTEサービスのユーザプレーンデータ専用ベアラ、特に、QCI=1の専用ベアラのセットアップが要求されたと決定する。
【０２４４】
eNBは、被呼UEの現在のLTEネットワーク信号品質がQCI=1の専用ベアラをセットアップするための信号品質条件を満たすことができるかどうかを決定する。
【０２４５】
例えば、被呼UEの現在のLTEネットワーク信号品質がQCI=1の専用ベアラをセットアップするための信号品質条件を満たすことができるかどうかeNBが決定することは、被呼UEのLTEネットワーク信号品質パラメータに基づいて、被呼UEの現在のLTEネットワーク信号品質がQCI=1の専用ベアラをセットアップするための信号品質条件を満たすことができるかどうかを決定することを含み得る。被呼UEのLTEネットワーク信号品質パラメータは、被呼UEのLTEネットワークアップリンク信号品質パラメータおよび被呼UEのLTEネットワークダウンリンク信号品質パラメータを含む。
【０２４６】
必要に応じて、被呼UEのLTEネットワークアップリンク信号品質パラメータは、被呼UEのLTEネットワークアップリンク信号強度、被呼UEのLTEネットワークアップリンク信号対雑音比、被呼UEのLTEネットワークアップリンクパケットロスレート、および/またはそれらに類するものを含む。
【０２４７】
必要に応じて、被呼UEのLTEネットワークダウンリンク信号品質パラメータは、被呼UEのLTEネットワークダウンリンク信号強度、被呼UEのLTEネットワークダウンリンク信号対雑音比、被呼UEのLTEネットワークダウンリンクパケットロスレート、および/またはそれらに類するものを含む。
【０２４８】
具体的には、例えば、eNBがMMEによって送信されたベアラセットアップ要求メッセージを受信した後に、eNBは、測定制御命令を被呼UEに送信し、測定制御命令に応答して被呼UEによって送信された測定レポートを受信し得る、ここで、測定レポートは、被呼UEのLTEネットワークダウンリンク信号品質パラメータを搬送する。
【０２４９】
本実施形態においては、被呼UEの現在のLTEネットワーク信号品質がQCI=1の専用ベアラをセットアップするための信号品質条件を満たすことができないとeNBが決定したケースを例として主に使用する。
【０２５０】
S511: 被呼UEの現在のLTEネットワーク信号品質がQCI=1の専用ベアラをセットアップするための信号品質条件を満たすことができないとeNBが決定した場合には、eNBが、ベアラセットアップ要求メッセージを拒否し得るし、eNBが、ベアラセットアップ応答メッセージをMMEに返信し得る。
【０２５１】
ベアラセットアップ応答メッセージは、QCI=1のベアラのセットアップ失敗を示すために使用される指示情報要素を搬送するとともに、ベアラセットアップ失敗の要因値を搬送し得る。
【０２５２】
要因値は、特に、Radio resources not available、Failure in the Radio Interface Procedure、またはNot supported QCI valueであり得るし、要因値は、標準規格に定義されていない要因値であってもよく、このことは本明細書に限定されない。
【０２５３】
必要に応じて、eNBがベアラセットアップ要求メッセージを拒否する前に、eNBは、VoLTEサービスの被呼UEの2G/3Gのネットワーク信号品質が音声サービスを満足しているとさらに決定し得る。例えば、eNBは、第2の測定制御命令を被呼UEに送信することであって、第2の測定制御命令は、2G/3Gのネットワーク信号品質を測定するように被呼UEに命令するために使用される、送信することをし、eNBは、第2の測定制御命令に応答して被呼UEによって送信された第2の測定レポートを受信することであって、第2の測定レポートは、被呼UEの2G/3Gのネットワークダウンリンク信号品質パラメータを搬送する、受信することをする。eNBは、例えば、第2の測定レポートに基づいて、被呼UEの現在のLTEネットワーク信号品質が音声サービスを満足することができるかどうかを決定する。
【０２５４】
必要に応じて、eNBがベアラセットアップ要求メッセージを拒否する前に、eNBは、VoLTEサービスの端末が回線交換ドメインに登録済みであったとさらにまず決定し得る。例えば、ベアラセットアップ要求メッセージを拒否する前に、eNBは、通知メッセージをMMEから受信し得る、ここで、通知メッセージは、被呼UEが回線交換ドメインに登録済みであったことを示すために使用される指示情報を搬送する。
【０２５５】
具体的には、例えば、通知メッセージは、特に、ダウンリンク非アクセス層トランスポートメッセージ(DOWNLINK NAS TRANSPORT)、初期コンテキストセットアップ要求メッセージ(INITIAL CONTEXT SETUP REQUEST)、またはUEコンテキスト修正要求メッセージ(UE CONTEXT MODIFICATION REQUEST)であり得る。あるいは、MMEによって送信されeNBによって受信されるベアラセットアップ要求メッセージは、端末が回線交換ドメインに登録済みであったことを示すために使用される指示情報を搬送する。
【０２５６】
S512: MMEが、ベアラ作成応答(create bearer response)メッセージをSGWに送信する。
【０２５７】
ベアラセットアップ応答メッセージは、ベアラセットアップの拒否に関する要因値を搬送し、MMEにおいて搬送された要因値は、eNBから取得した要因値に関連して設定され得る。
【０２５８】
S513: SGWが、ベアラ作成応答メッセージをMMEから受信し、SGWが、受信したベアラ作成応答メッセージに従ってPGWにベアラ作成応答メッセージを送信する。
【０２５９】
PGWは、クレジット制御要求(CCR、Credit Control Request)メッセージをPCRFエンティティに送信し、CCRメッセージは、QCI=1の専用ベアラのセットアップ失敗を示すために使用される指示を搬送するとともに、専用ベアラのセットアップ失敗の要因値を搬送し、要因値は、ベアラ作成応答メッセージにおいて搬送される要因値に関連して特に設定される。
【０２６０】
S514: PCRFエンティティが、クレジット制御応答(CCA、Credit Control Answer)メッセージをPGWに送信する。
【０２６１】
S515: PCRFエンティティが、CCRメッセージに従って被呼側P-CSCFにRARメッセージ/セッション中止要求(ASR、Abort-Session-Request)メッセージを送信する、ここで、RARメッセージ/ASRメッセージは、ベアラリソースが不十分であることを示すために使用される指示情報またはリソース割り振り失敗を示すために使用される指示情報を搬送し得る。
【０２６２】
S516: 被呼側P-CSCFが、RAAメッセージ/ASAメッセージをPCRFエンティティに送信する。
【０２６３】
S517: ベアラリソースが不十分であることを示すために使用される指示情報またはリソース割り振り失敗を示すために使用される指示情報を獲得した後に、被呼側P-CSCFが、被呼側S-CSCFを使用してIMSネットワークにおける着信アクセスドメイン選択に対する380または503応答メッセージを送信する。
【０２６４】
S518: ベアラリソースが不十分であることを示すために使用される指示情報またはリソース割り振り失敗を示すために使用される指示情報を獲得した後に、被呼側P-CSCFが、要求されていたVoLTEサービス関連のセッションを中止するために、中止(cancel)メッセージを被呼UEに送信する。ステップS518とステップS519との間でシーケンスは限定されない。
【０２６５】
S519: IMSネットワークにおける着信アクセスドメイン選択が、被呼セッションのためのCSドメインを再選択し、被呼側S-CSCFなどのデバイスを使用してCSドメインコール制御デバイス(例えば、MSC)への発呼を開始する。
【０２６６】
S520: CSドメインコール制御デバイス(例えば、MSC)が、SGインターフェースを使用してMMEへの発呼を開始する。
【０２６７】
S521: MMEが、被呼UEのCSFBプロシージャをトリガする。具体的なプロセスの詳細については、3GPP TS 23.272中の関連する記述を参照されたい。その詳細を本明細書では再び説明しない。被呼UEのCSFBプロシージャを使用して、被呼UEは、CSドメインにおいて音声セッションを最終的に確立し得る。
【０２６８】
本実施形態の技術的ソリューションが使用された後には、被呼UEがVoLTEサービスの信号品質要件を満たすことができない電波の弱いLTEカバレッジエリア(例えば、電波の弱いLTE屋内カバレッジ)に位置している場合には、呼損、劣悪なセッション品質、またはVoLTEサービスコールを作成することによって引き起こされる大きな呼確立遅延などといった技術的問題を可能な限り回避するために、CSFBコールを、VoLTEサービスコールの代わりに被呼音声セッション作成フェーズにおいて使用することができることを保証している。
【０２６９】
加えて、VoLTEサービスコールは、eNB信号品質の評価結果の制御から解放され得るし、その代わりに、セルレベルのVoLTEコール制御スイッチが、事業者のポリシーに従って提供される。すなわち、いくつかの特定のLTEセルについては、事業者は、VoLTEのセットアップを許可しない、例えば、QCI=1のベアラをセットアップするためにMMEによって送信された要求を受信した場合には、eNBは、ベアラセットアップ要求を直ちに拒否する。
【０２７０】
図6を参照すれば、図6は、本発明の別の実施形態による、別のサービス処理方法の概略フローチャートである。図6中の例において示しているように、本発明の別の実施形態において提供した別のサービス処理方法は、以下のステップを含み得る。
【０２７１】
S601: inviteメッセージを受信した後に、被呼側P-CSCFが、IMS被呼セッションを作成し、inviteメッセージを被呼UEに送信する。
【０２７２】
S602: 被呼UEが、inviteメッセージを受信する。
【０２７３】
被呼UEは、inviteメッセージを受信した直後にVoLTE音声セッションを確立しない、その代わりに、被呼UEの現在のLong Term Evolutionネットワーク信号品質がVoLTEサービスのベアラ(QCI=1のベアラ)のための信号品質条件を満たしているかどうかをまず決定する。
【０２７４】
例えば、被呼UEは、被呼UEのLong Term Evolutionネットワーク信号品質パラメータに基づいて、被呼UEの現在のLong Term Evolutionネットワーク信号品質がVoLTEサービスのベアラのための信号品質条件を満たすことができないと決定し得る、ここで、被呼UEのLong Term Evolutionネットワーク信号品質パラメータは、被呼UEのLong Term Evolutionネットワークアップリンク信号品質パラメータおよび/または被呼UEのLong Term Evolutionネットワークダウンリンク信号品質パラメータを含む。
【０２７５】
必要に応じて、被呼UEのLong Term Evolutionネットワークアップリンク信号品質パラメータは、被呼UEのLong Term Evolutionネットワークアップリンク信号強度、被呼UEのLong Term Evolutionネットワークアップリンク信号対雑音比、および/または被呼UEのLong Term Evolutionネットワークアップリンクパケットロスレートを含む。
【０２７６】
必要に応じて、被呼UEのLong Term Evolutionネットワークダウンリンク信号品質パラメータは、被呼UEのLong Term Evolutionネットワークダウンリンク信号強度、被呼UEのLong Term Evolutionネットワークダウンリンク信号対雑音比、および/または被呼UEのLong Term Evolutionネットワークダウンリンクパケットロスレートを含む。
【０２７７】
必要に応じて、inviteメッセージを受信した後に、被呼UEは、Long Term Evolutionネットワークダウンリンク信号品質を測定して、被呼UEのLong Term Evolutionネットワークダウンリンク信号品質パラメータを取得し得る。
【０２７８】
S603: 被呼UEの現在のLTE信号品質がVoLTE音声セッション要件を満たしていないことが評価により得られた場合には、被呼UEが、480応答メッセージを被呼P-CSCFに返信する、ここで、480応答メッセージは、カレントVoLTEサービスが利用不可能であることを示すために使用される。
【０２７９】
S604: 480応答メッセージを受信した後に、被呼P-CSCFが、S-CSCFを使用して480応答メッセージをIMSドメイン選択サービスデバイスに送信する。
【０２８０】
S605: VoLTEサービスが利用不可能であることを示す480応答メッセージを獲得した後に、IMSネットワークのドメイン選択サービスデバイスが、音声被呼セッションのためのCSドメインを再選択する。
【０２８１】
S606: IMSドメイン選択サービスデバイスが、被呼S-CSCFなどのデバイスを使用してCSドメインコール制御デバイス(例えば、MSC)への発呼を開始する。
【０２８２】
S607: CSドメインコール制御デバイス(例えば、MSC)が、SGインターフェースを使用してMMEへの発呼を開始する。
【０２８３】
S608: MMEが、被呼UEのCSFBプロシージャをトリガする。具体的なプロセスの詳細については、3GPP TS 23.272中の関連する記述を参照されたい。その詳細を本明細書では再び説明しない。被呼UEのCSFBプロシージャを使用して、被呼UEは、CSドメインにおいて音声セッションを最終的に確立し得る。
【０２８４】
本実施形態の技術的ソリューションにおいては、被呼UEが、IMSネットワークから、VoLTEサービスのコール要求メッセージを受信した後に、被呼UEが、被呼UEの信号品質がVoLTEサービスを満足することができないと決定した場合には、コール要求メッセージを拒否することは理解されよう。すなわち、VoLTEサービスのベアラセットアッププロセスにおいて、被呼UEの信号品質がVoLTEサービスを満足することができないことに被呼UEが気付いた場合には、被呼UEは、確立されるVoLTEサービスの安定性をある程度改善することを支援し、それによって、ユーザの通話体験を改善するために、VoLTEサービスのベアラセットアップを停止する。例えば、今日においても、電波の弱いLTEネットワークカバレッジを有する多くのエリアがまだ存在しており、事業者は、各エリアのLTEネットワークの信号品質が良好であることを保証することができていない。例えば、一般的に、LTEネットワークのセルエッジカバレッジは比較的電波の弱いことがしばしばあり、LTEネットワークセルエッジの電波の弱いカバレッジのせいで、被呼UEがこれらのエリア内でVoLTEサービスのセットアップを開始することができない場合があり、本実施形態の技術的ソリューションが使用された後には、このことが、被呼UEが別の方式でCSドメインコールサービスを確立することができるようにするのに一役買っており、成功裏に確立されるコールサービスの安定性を改善するのに一役買うことになる。
【０２８５】
図7を参照すれば、本発明の実施形態は、アクセスネットワークデバイス700を提供しており、アクセスネットワークデバイス700は、
コアネットワークデバイスから、VoLTEサービスのベアラセットアップ要求メッセージを受信するように構成される、受信ユニット710と、
VoLTEサービスの端末のLTEネットワーク信号品質がVoLTEサービスを満足することができないと決定した場合には、ベアラセットアップ要求メッセージを拒否するように構成される、サービス制御ユニット720とを含み得る。
【０２８６】
必要に応じて、本発明のいくつかの可能な実施方式においては、サービス制御ユニット720は、VoLTEサービスの端末のLTEネットワーク信号品質がVoLTEサービスを満足することができないと決定した場合には、ベアラセットアップ要求メッセージを拒否するための応答メッセージをコアネットワークデバイスに送信するように特に構成され、応答メッセージは、回線交換フォールバックコールを開始するように端末をトリガするためにコアネットワークデバイスによって使用される。
【０２８７】
必要に応じて、本発明のいくつかの可能な実施方式においては、応答メッセージは、VoLTEサービスのベアラセットアップ失敗に関する要因値を搬送する。
【０２８８】
必要に応じて、本発明のいくつかの可能な実施方式においては、サービス制御ユニットは、VoLTEサービスの端末のLTEネットワーク信号品質がVoLTEサービスを満足することができないと決定した場合には、ベアラセットアップ要求メッセージの応答メッセージを移動性管理ネットワーク要素MMEに送信するように特に構成され、応答メッセージは、インターネットプロトコルマルチメディアサブシステムIMSに、回線交換フォールバックコールを開始するように端末をトリガさせる。
【０２８９】
必要に応じて、本発明のいくつかの可能な実施方式においては、アクセスネットワークデバイスは、VoLTEサービスの端末のLTEネットワークアップリンク信号品質パラメータおよび/またはLTEネットワークダウンリンク信号品質パラメータに基づいて、端末のLTEネットワーク信号品質がVoLTEサービスを満足することができないと決定する。
【０２９０】
必要に応じて、本発明のいくつかの可能な実施方式においては、端末のLTEネットワークアップリンク信号品質パラメータは、端末のLTEネットワークアップリンク信号強度、端末のLTEネットワークアップリンク信号対雑音比、または端末のLTEネットワークアップリンクパケットロスレートのうちの少なくとも1つを含む。
【０２９１】
必要に応じて、本発明のいくつかの可能な実施方式においては、端末のLTEネットワークダウンリンク信号品質パラメータは、端末のLTEネットワークダウンリンク信号強度、端末のLTEネットワークダウンリンク信号対雑音比、または端末のLTEネットワークダウンリンクパケットロスレートのうちの少なくとも1つを含む。
【０２９２】
必要に応じて、本発明のいくつかの可能な実施方式においては、アクセスネットワークデバイス700は、
受信ユニット710が、コアネットワークデバイスから、VoLTEサービスのベアラセットアップ要求メッセージを受信した後に、第1の測定制御命令を端末に送信するように構成される、送信ユニットをさらに含み、受信ユニット710は、第1の測定制御命令に応答して端末によって送信された第1の測定レポートを受信するようにさらに構成される、受信ユニット710であって、第1の測定レポートは、端末のLTEネットワークダウンリンク信号品質パラメータを搬送する、受信ユニット710をさらに含む。
【０２９３】
必要に応じて、本発明のいくつかの可能な実施方式においては、端末は、VoLTEサービスの発呼端末または被呼端末である。
【０２９４】
必要に応じて、本発明のいくつかの可能な実施方式においては、VoLTEサービスのベアラは、サービス品質クラス識別子QCI=1のベアラである。
【０２９５】
必要に応じて、本発明のいくつかの可能な実施方式においては、サービス制御ユニットは、ベアラセットアップ要求メッセージを拒否する前に、端末が回線交換ドメインに登録済みであったと決定するようにさらに構成される。
【０２９６】
必要に応じて、本発明のいくつかの可能な実施方式においては、受信ユニットは、通知メッセージをコアネットワークデバイスから受信することであって、通知メッセージは、端末が回線交換ドメインに登録済みであったことを示すために使用される指示情報を搬送する、受信することをするようにさらに構成され、サービス制御ユニットは、通知メッセージに基づいて、端末が回線交換ドメインに登録済みであったと決定する。
【０２９７】
必要に応じて、本発明のいくつかの可能な実施方式においては、サービス制御ユニットは、VoLTEサービスのベアラセットアップ要求メッセージがコアネットワークデバイスから受信された後、且つ、ベアラセットアップ要求メッセージが拒否される前に、端末の2G/3Gのネットワーク信号品質が音声サービスを満足していると決定するようにさらに構成される。
【０２９８】
必要に応じて、本発明のいくつかの可能な実施方式においては、アクセスネットワークデバイスは、VoLTEサービスのベアラセットアップ要求メッセージがコアネットワークデバイスから受信された後に、第2の測定制御命令を端末に送信するように構成される、送信ユニットであって、第2の測定制御命令は、2G/3Gのネットワーク信号品質を測定するように端末に命令するために使用される、送信ユニットをさらに含み、受信ユニットは、第2の測定制御命令に応答して端末によって送信された第2の測定レポートを受信するように構成され、第2の測定レポートは、端末の2G/3Gのネットワークダウンリンク信号品質パラメータを搬送する。
【０２９９】
本実施形態におけるアクセスネットワークデバイス700の機能モジュールの機能は前述の方法の実施形態における方法に従って特に実装され得ることを理解されよう。具体的な実施形態のプロセスについては、方法の実施形態における関連する説明を参照されたい、そのためその詳細を本明細書では再び説明しない。
【０３００】
図8を参照すれば、本発明の実施形態は、端末800をさらに提供しており、端末800は、
インターネットプロトコルマルチメディアサブシステムIMSネットワークから、VoLTEサービスのコール要求メッセージを受信するように構成される、受信ユニット810と、
端末のLTEネットワーク信号品質がVoLTEサービスを満足することができないと決定した場合には、コール要求メッセージを拒否するように構成される、サービス制御ユニット820とを含み得る。
【０３０１】
必要に応じて、本発明のいくつかの可能な実施方式においては、コール要求メッセージを拒否することは、端末によって、コール要求メッセージを拒否するための応答メッセージをIMSネットワークに送信することであって、応答メッセージは、回線交換フォールバックコールを開始するように端末をトリガするためにIMSネットワークにおいて使用される、送信することを含む。
【０３０２】
必要に応じて、本発明のいくつかの可能な実施方式においては、端末は、端末のLTEネットワークアップリンク信号品質パラメータおよび/またはLTEネットワークダウンリンク信号品質パラメータに基づいて、端末のLTEネットワーク信号品質がVoLTEサービスを満足することができないと決定する。
【０３０３】
必要に応じて、本発明のいくつかの可能な実施方式においては、端末のLTEネットワークアップリンク信号品質パラメータは、端末のLTEネットワークアップリンク信号強度、端末のLTEネットワークアップリンク信号対雑音比、または端末のLTEネットワークアップリンクパケットロスレートのうちの少なくとも1つを含む。
【０３０４】
必要に応じて、本発明のいくつかの可能な実施方式においては、端末のLTEネットワークダウンリンク信号品質パラメータは、端末のLTEネットワークダウンリンク信号強度、端末のLTEネットワークダウンリンク信号対雑音比、または端末のLTEネットワークダウンリンクパケットロスレートのうちの少なくとも1つを含む。
【０３０５】
必要に応じて、本発明のいくつかの可能な実施方式においては、コール要求メッセージは、招待(invite)メッセージである。
【０３０６】
必要に応じて、本発明のいくつかの可能な実施方式においては、応答メッセージは、一時的に利用不可能な応答メッセージ(例えば、480メッセージ)である。
【０３０７】
本実施形態における端末800(通信端末とも称し得る)の機能モジュールの機能は前述の方法の実施形態における方法に従って特に実装され得ることを理解されよう。具体的な実施形態のプロセスについては、方法の実施形態における関連する説明を参照されたい、そのためその詳細を本明細書では再び説明しない。
【０３０８】
図9を参照すれば、本発明の実施形態は、端末900をさらに提供しており、端末900は、
VoLTEサービスを確立するように命令するユーザ命令を受信するように構成される、受信ユニット910と、
端末のLTEネットワーク信号品質がVoLTEサービスを満足することができないと決定した場合には、回線交換ドメインにおいてVoLTEサービスの被呼端末に発呼するように構成される、サービス制御ユニット920とを含む。
【０３０９】
必要に応じて、本発明のいくつかの可能な実施方式においては、サービス制御ユニット920は、端末のLTEネットワークアップリンク信号品質パラメータおよび/またはLTEネットワークアップリンク信号品質パラメータに基づいて、端末のLTEネットワーク信号品質がVoLTEサービスを満足することができないと決定する。
【０３１０】
必要に応じて、本発明のいくつかの可能な実施方式においては、端末のLTEネットワークアップリンク信号品質パラメータは、端末のLTEネットワークアップリンク信号強度、端末のLTEネットワークアップリンク信号対雑音比、または端末のLTEネットワークアップリンクパケットロスレートのうちの少なくとも1つを含む。
【０３１１】
必要に応じて、本発明のいくつかの可能な実施方式においては、端末のLTEネットワークダウンリンク信号品質パラメータは、端末のLTEネットワークダウンリンク信号強度、端末のLTEネットワークダウンリンク信号対雑音比、または端末のLTEネットワークダウンリンクパケットロスレートのうちの少なくとも1つを含む。
【０３１２】
必要に応じて、本発明のいくつかの可能な実施方式においては、端末は、
VoLTEサービスを確立するように命令するユーザ命令を受信した後に、端末のLTEネットワークダウンリンク信号品質パラメータを取得するために、LTEネットワークダウンリンク信号品質を測定するように構成され得る、測定ユニットをさらに含む。
【０３１３】
必要に応じて、本発明のいくつかの可能な実施方式においては、サービス制御ユニット920は、回線交換ドメインにおいてVoLTEサービスの被呼端末に発呼する前に、端末が回線交換ドメインに登録済みであったと決定するようにさらに構成される。
【０３１４】
必要に応じて、本発明のいくつかの可能な実施方式においては、サービス制御ユニット920は、回線交換ドメインにおいてVoLTEサービスの被呼端末に発呼する前に、端末が回線交換ドメインに登録済みではなかった場合には、回線交換ドメインに登録するようにさらに構成される。
【０３１５】
必要に応じて、本発明のいくつかの可能な実施方式においては、サービス制御ユニット920によって、回線交換ドメインに登録することは、複合アタッチ方式で回線交換ドメインに登録すること、または、リセレクションプロセスにより回線交換ドメインにキャンプオンし、回線交換ドメインに登録することを含む。
【０３１６】
必要に応じて、本発明のいくつかの可能な実施方式においては、サービス制御ユニット920は、回線交換ドメインにおいてVoLTEサービスの被呼端末に発呼する前に、回線交換ドメインのネットワーク信号品質が音声サービスを満足していると決定するようにさらに構成される。
【０３１７】
必要に応じて、本発明のいくつかの可能な実施方式においては、サービス制御ユニット920が回線交換ドメインにおいてVoLTEサービスの被呼端末に発呼する前に、受信ユニットは、通知メッセージをLong Term Evolutionネットワークから受信し、通知メッセージは、端末のLong Term Evolutionネットワークアップリンク信号品質パラメータおよび/またはLong Term Evolutionネットワークダウンリンク信号品質パラメータを搬送し、通知メッセージは、端末のLong Term Evolutionネットワーク信号品質がVoLTEサービスを満足することができないと決定するために端末900によって使用される。例えば、通知メッセージは、Long Term Evolutionネットワークのアクセスネットワークデバイスからのものである。
【０３１８】
本実施形態における端末900(通信端末とも称し得る)の機能モジュールの機能は前述の方法の実施形態における方法に従って特に実装され得ることを理解されよう。具体的な実施形態のプロセスについては、方法の実施形態における関連する説明を参照されたい、そのためその詳細を本明細書では再び説明しない。
【０３１９】
図10を参照すれば、本発明の実施形態は、ネットワークインターフェース1010、プロセッサ1020、メモリ1040、などを含み得る、アクセスネットワークデバイス1000をさらに提供している。
【０３２０】
メモリ1040は、リードオンリーメモリおよびランダムアクセスメモリを含み、命令およびデータをプロセッサ1020に提供し得る。加えて、メモリ1040の一部は、不揮発性ランダムアクセスメモリをさらに含み得る。
【０３２１】
プロセッサ1020は、アクセスネットワークデバイス1000の動作を主に制御し、プロセッサ1020は、中央処理ユニット(CPU、Central Processing Unit)とも称し得る。メモリ1040は、リードオンリーメモリおよびランダムアクセスメモリを含み、命令およびデータをプロセッサ1020に提供し得る。メモリ1040の一部は、不揮発性ランダムアクセスメモリ(NVRAM)をさらに含み得る。具体的な適用においては、アクセスネットワークデバイス1000のコンポーネントは、バスシステム1050を使用してともに接続されており、バスシステム1050は、データバスに加えて、電力バス、制御バス、状態信号バスなどを含み得る。しかしながら、明確な説明を目的として、図中の様々なタイプのバスはすべて、バスシステム1050として示している。
【０３２２】
本発明の前述の実施形態において開示した方法は、プロセッサ1020に適用され得る、または、プロセッサ1020によって実施される。プロセッサ1020は、集積回路チップであり、信号処理能力を有し得る。ある実施形態のプロセスにおいては、前述の方法のステップは、プロセッサ1020内のハードウェアの集積論理回路またはソフトウェア形式の命令を使用して達成され得る。前述のプロセッサ1020は、汎用プロセッサ、デジタル信号プロセッサ(DSP)、特定用途向け集積回路(ASIC)、分野プログラマブルゲートアレイ(FPGA)、または別のプログラマブルロジックデバイス、ディスクリートゲートもしくはトランジスタロジックデバイス、またはディスクリートハードウェアコンポーネントであり得る。プロセッサ141は、本発明の実施形態において開示した方法、ステップ、および論理ブロック図を実施または実行し得る。汎用プロセッサは、マイクロプロセッサであり得る、またはプロセッサは、任意の従来のプロセッサなどであり得る。本発明の実施形態を参照して開示した方法のステップは、ハードウェアデコーディングプロセッサによって直接実行および完了され得る、または、ハードウェアとデコーディングプロセッサにおけるソフトウェアモジュールとの組合せを使用して実行および完了され得る。ソフトウェアモジュールは、ランダムアクセスメモリ、フラッシュメモリ、リードオンリーメモリ、プログラマブルリードオンリーメモリ、電気的消去可能プログラマブルメモリ、またはレジスタなどといった、その分野における成熟した記憶媒体に位置し得る。記憶媒体は、メモリ1040にあり、例えば、プロセッサ1020は、メモリ1040に情報を読み込み、そのハードウェアとの組合せにおいて前述の方法のステップを完了し得る。
【０３２３】
ネットワークインターフェース1010は、コアネットワークデバイスから、VoLTEサービスのベアラセットアップ要求メッセージを受信するように構成される。
【０３２４】
プロセッサ1020は、VoLTEサービスの端末のLTEネットワーク信号品質がVoLTEサービスを満足することができないと決定した場合には、ベアラセットアップ要求メッセージを拒否するように構成される。
【０３２５】
必要に応じて、本発明のいくつかの可能な実施方式においては、プロセッサは、VoLTEサービスの端末のLTEネットワーク信号品質がVoLTEサービスを満足することができないと決定した場合には、ネットワークインターフェースを使用して、ベアラセットアップ要求メッセージを拒否するための応答メッセージをコアネットワークデバイスに送信するように特に構成され、応答メッセージは、回線交換フォールバックコールを開始するように端末をトリガするためにコアネットワークデバイスによって使用される。
【０３２６】
必要に応じて、本発明のいくつかの可能な実施方式においては、応答メッセージは、VoLTEサービスのベアラセットアップ失敗に関する要因値を搬送する。
【０３２７】
必要に応じて、本発明のいくつかの可能な実施方式においては、プロセッサは、VoLTEサービスの端末のLTEネットワーク信号品質がVoLTEサービスを満足することができないと決定した場合には、ネットワークインターフェースを使用してベアラセットアップ要求メッセージの応答メッセージを移動性管理ネットワーク要素MMEに送信するように特に構成され、応答メッセージは、インターネットプロトコルマルチメディアサブシステムIMSに、回線交換フォールバックコールを開始するように端末をトリガさせる。
【０３２８】
必要に応じて、本発明のいくつかの可能な実施方式においては、プロセッサは、VoLTEサービスの端末のLTEネットワークアップリンク信号品質パラメータおよび/またはLTEネットワークダウンリンク信号品質パラメータに基づいて、端末のLTEネットワーク信号品質がVoLTEサービスを満足することができないと決定する。
【０３２９】
必要に応じて、本発明のいくつかの可能な実施方式においては、端末のLTEネットワークアップリンク信号品質パラメータは、端末のLTEネットワークアップリンク信号強度、端末のLTEネットワークアップリンク信号対雑音比、または端末のLTEネットワークアップリンクパケットロスレートのうちの少なくとも1つを含む。
【０３３０】
必要に応じて、本発明のいくつかの可能な実施方式においては、端末のLTEネットワークダウンリンク信号品質パラメータは、端末のLTEネットワークダウンリンク信号強度、端末のLTEネットワークダウンリンク信号対雑音比、または端末のLTEネットワークダウンリンクパケットロスレートのうちの少なくとも1つを含む。
【０３３１】
必要に応じて、本発明のいくつかの可能な実施方式においては、プロセッサ1020は、コアネットワークデバイスから、VoLTEサービスのベアラセットアップ要求メッセージを受信した後に、ネットワークインターフェースを使用して第1の測定制御命令を端末に送信し、ネットワークインターフェースを使用して、第1の測定制御命令に応答して端末によって送信された第1の測定レポートを受信するようにさらに構成され、第1の測定レポートは、端末のLTEネットワークダウンリンク信号品質パラメータを搬送する。
【０３３２】
必要に応じて、本発明のいくつかの可能な実施方式においては、端末は、VoLTEサービスの発呼端末または被呼端末である。
【０３３３】
必要に応じて、本発明のいくつかの可能な実施方式においては、VoLTEサービスのベアラは、QCI=1のベアラである。
【０３３４】
必要に応じて、本発明のいくつかの可能な実施方式においては、プロセッサは、ベアラセットアップ要求メッセージを拒否する前に、端末が回線交換ドメインに登録済みであったと決定するようにさらに構成される。
【０３３５】
必要に応じて、本発明のいくつかの可能な実施方式においては、ネットワークインターフェースは、通知メッセージをコアネットワークデバイスから受信することであって、通知メッセージは、端末が回線交換ドメインに登録済みであったことを示すために使用される指示情報を搬送する、受信することをするようにさらに構成され、プロセッサは、通知メッセージに基づいて、端末が回線交換ドメインに登録済みであったと決定する。
【０３３６】
必要に応じて、本発明のいくつかの可能な実施方式においては、プロセッサは、VoLTEサービスのベアラセットアップ要求メッセージがコアネットワークデバイスから受信された後、且つ、ベアラセットアップ要求メッセージが拒否される前に、端末の2G/3Gのネットワーク信号品質が音声サービスを満足していると決定するようにさらに構成される。
【０３３７】
必要に応じて、本発明のいくつかの可能な実施方式においては、ネットワークインターフェースは、コアネットワークデバイスから、VoLTEサービスのベアラセットアップ要求メッセージを受信した後に、第2の測定制御命令を端末に送信することであって、第2の測定制御命令は、2G/3Gのネットワーク信号品質を測定するように端末に命令するために使用される、送信することをし、第2の測定制御命令に応答して端末によって送信された第2の測定レポートを受信するようにさらに構成され、第2の測定レポートは、端末の2G/3Gのネットワークダウンリンク信号品質パラメータを搬送する。
【０３３８】
本実施形態におけるアクセスネットワークデバイス1000の機能モジュールの機能は前述の方法の実施形態における方法に従って特に実装され得ることを理解されよう。具体的な実施形態のプロセスについては、方法の実施形態における関連する説明を参照されたい、そのためその詳細を本明細書では再び説明しない。
【０３３９】
図11を参照すれば、本発明の実施形態は、端末1100をさらに提供しており、端末1100は、レシーバ1110、トランスミッタ1130(必要に応じて)、プロセッサ1120、メモリ1140などを含み得る。
【０３４０】
メモリ1140は、リードオンリーメモリおよびランダムアクセスメモリを含み、命令およびデータをプロセッサ1120に提供し得る。加えて、メモリ1140の一部は、不揮発性ランダムアクセスメモリをさらに含み得る。
【０３４１】
プロセッサ1120は、アクセスネットワークデバイス1100の動作を主に制御し、プロセッサ1120は、中央処理ユニット(CPU、Central Processing Unit)とも称し得る。メモリ1140は、リードオンリーメモリおよびランダムアクセスメモリを含み、命令およびデータをプロセッサ1120に提供し得る。メモリ1140の一部は、不揮発性ランダムアクセスメモリ(NVRAM)をさらに含み得る。具体的な適用においては、端末1100のコンポーネントは、バスシステム1150を使用してともに接続されており、バスシステム1150は、データバスに加えて、電力バス、制御バス、状態信号バスなどを含み得る。しかしながら、明確な説明を目的として、図中の様々なタイプのバスはすべて、バスシステム1150として示している。
【０３４２】
本発明の前述の実施形態において開示した方法は、プロセッサ1120に適用され得る、または、プロセッサ1120によって実施される。プロセッサ1120は、集積回路チップであり、信号処理能力を有し得る。ある実施形態のプロセスにおいては、前述の方法のステップは、プロセッサ1120内のハードウェアの集積論理回路またはソフトウェア形式の命令を使用して達成され得る。前述のプロセッサ1120は、汎用プロセッサ、デジタル信号プロセッサ(DSP)、特定用途向け集積回路(ASIC)、分野プログラマブルゲートアレイ(FPGA)、または別のプログラマブルロジックデバイス、ディスクリートゲートもしくはトランジスタロジックデバイス、またはディスクリートハードウェアコンポーネントであり得る。プロセッサ141は、本発明の実施形態において開示した方法、ステップ、および論理ブロック図を実施または実行し得る。汎用プロセッサは、マイクロプロセッサであり得る、またはプロセッサは、任意の従来のプロセッサなどであり得る。本発明の実施形態を参照して開示した方法のステップは、ハードウェアデコーディングプロセッサによって直接実行および完了され得る、または、ハードウェアとデコーディングプロセッサにおけるソフトウェアモジュールとの組合せを使用して実行および完了され得る。ソフトウェアモジュールは、ランダムアクセスメモリ、フラッシュメモリ、リードオンリーメモリ、プログラマブルリードオンリーメモリ、電気的消去可能プログラマブルメモリ、またはレジスタなどといった、その分野における成熟した記憶媒体に位置し得る。記憶媒体は、メモリ1140にあり、例えば、プロセッサ1120は、メモリ1140に情報を読み込み、そのハードウェアとの組合せにおいて前述の方法のステップを完了し得る。
【０３４３】
レシーバ1110は、IMSネットワークから、VoLTEサービスのコール要求メッセージを受信するように構成される。
【０３４４】
プロセッサ1120は、端末のLTEネットワーク信号品質がVoLTEサービスを満足することができないと決定した場合には、コール要求メッセージを拒否するように構成される。
【０３４５】
必要に応じて、本発明のいくつかの可能な実施方式においては、端末1100は、トランスミッタ1130をさらに含み、プロセッサ1120は、トランスミッタ1130を使用して、コール要求メッセージを拒否するための応答メッセージをIMSネットワークに送信するように特に構成され、応答メッセージは、回線交換フォールバックコールを開始するように端末をトリガするためにIMSネットワークにおいて使用される。
【０３４６】
必要に応じて、本発明のいくつかの可能な実施方式においては、プロセッサは、端末のLTEネットワークアップリンク信号品質パラメータおよび/またはLTEネットワークダウンリンク信号品質パラメータに基づいて、端末のLTEネットワーク信号品質がVoLTEサービスを満足することができないと決定する。
【０３４７】
必要に応じて、本発明のいくつかの可能な実施方式においては、端末のLTEネットワークアップリンク信号品質パラメータは、端末のLTEネットワークアップリンク信号強度、端末のLTEネットワークアップリンク信号対雑音比、または端末のLTEネットワークアップリンクパケットロスレートのうちの少なくとも1つを含む。
【０３４８】
必要に応じて、本発明のいくつかの可能な実施方式においては、端末のLTEネットワークダウンリンク信号品質パラメータは、端末のLTEネットワークダウンリンク信号強度、端末のLTEネットワークダウンリンク信号対雑音比、または端末のLTEネットワークダウンリンクパケットロスレートのうちの少なくとも1つを含む。
【０３４９】
必要に応じて、本発明のいくつかの可能な実施方式においては、コール要求メッセージは、招待(invite)メッセージである。
【０３５０】
必要に応じて、本発明のいくつかの可能な実施方式においては、応答メッセージは、一時的に利用不可能な応答メッセージである。
【０３５１】
本実施形態における端末1100(通信端末とも称し得る)の機能モジュールの機能は前述の方法の実施形態における方法に従って特に実装され得ることを理解されよう。具体的な実施形態のプロセスについては、方法の実施形態における関連する説明を参照されたい、そのためその詳細を本明細書では再び説明しない。
【０３５２】
図12を参照すれば、本発明の実施形態は、端末1200をさらに提供しており、端末1200は、
ネットワークインターフェース1210、ユーザインターフェース1230、プロセッサ1220、メモリ1240などを含み得る。
【０３５３】
ユーザインターフェース1230は、マウス、キー、またはタッチスクリーンなどのコンポーネントであり得る。
【０３５４】
メモリ1240は、リードオンリーメモリおよびランダムアクセスメモリを含み、命令およびデータをプロセッサ1220に提供し得る。加えて、メモリ1240の一部は、不揮発性ランダムアクセスメモリをさらに含み得る。
【０３５５】
プロセッサ1220は、アクセスネットワークデバイス1200の動作を主に制御し、プロセッサ1220は、中央処理ユニット(CPU、Central Processing Unit)とも称し得る。メモリ1240は、リードオンリーメモリおよびランダムアクセスメモリを含み、命令およびデータをプロセッサ1220に提供し得る。メモリ1240の一部は、不揮発性ランダムアクセスメモリ(NVRAM)をさらに含み得る。特定のアプリケーション内の端末1200のコンポーネントは、バスシステム1250により接続されており、バスシステム1250は、データバスを含み、電力バス、制御バス、状態信号バスなども含む。しかしながら、明確な説明を目的として、図中の様々なタイプのバスはすべて、バスシステム1250として示している。
【０３５６】
本発明の前述の実施形態において開示した方法は、プロセッサ1220に適用され得る、または、プロセッサ1220によって実施される。プロセッサ1220は、集積回路チップであり、信号処理能力を有し得る。ある実施形態のプロセスにおいては、前述の方法のステップは、プロセッサ1220内のハードウェアの集積論理回路またはソフトウェア形式の命令を使用して達成され得る。前述のプロセッサ1220は、汎用プロセッサ、デジタル信号プロセッサ(DSP)、特定用途向け集積回路(ASIC)、分野プログラマブルゲートアレイ(FPGA)、または別のプログラマブルロジックデバイス、ディスクリートゲートもしくはトランジスタロジックデバイス、またはディスクリートハードウェアコンポーネントであり得る。プロセッサ141は、本発明の実施形態において開示した方法、ステップ、および論理ブロック図を実施または実行し得る。汎用プロセッサは、マイクロプロセッサであり得る、またはプロセッサは、任意の従来のプロセッサなどであり得る。本発明の実施形態を参照して開示した方法のステップは、ハードウェアデコーディングプロセッサによって直接実行および完了され得る、または、ハードウェアとデコーディングプロセッサにおけるソフトウェアモジュールとの組合せを使用して実行および完了され得る。ソフトウェアモジュールは、ランダムアクセスメモリ、フラッシュメモリ、リードオンリーメモリ、プログラマブルリードオンリーメモリ、電気的消去可能プログラマブルメモリ、またはレジスタなどといった、その分野における成熟した記憶媒体に位置し得る。記憶媒体は、メモリ1240にあり、例えば、プロセッサ1220は、メモリ1240に情報を読み込み、そのハードウェアとの組合せにおいて前述の方法のステップを完了し得る。
【０３５７】
ユーザインターフェース1230は、VoLTEサービスを確立するように命令するユーザ命令を受信するように構成される。
【０３５８】
プロセッサ1220は、端末のLTEネットワーク信号品質がVoLTEサービスを満足することができないと決定した場合には、(ネットワークインターフェース1210を使用して)回線交換ドメインにおいてVoLTEサービスの被呼端末への発呼を開始するように構成される。
【０３５９】
具体的には、例えば、プロセッサ1220は、端末のLTEネットワーク信号品質がVoLTEサービスを満足することができないと決定した場合には、まず、CSFBプロシージャを開始して(ネットワークインターフェース1210を使用して)回線交換ドメインにフォールバックし、その後、(ネットワークインターフェース1210を使用して)回線交換ドメインにおいてVoLTEサービスの被呼端末への発呼を開始するように構成される。
【０３６０】
必要に応じて、本発明のいくつかの可能な実施方式においては、プロセッサは、端末のLTEネットワークアップリンク信号品質パラメータおよび/またはLTEネットワークアップリンク信号品質パラメータに基づいて、端末のLTEネットワーク信号品質がVoLTEサービスを満足することができないと決定する。
【０３６１】
必要に応じて、本発明のいくつかの可能な実施方式においては、端末のLTEネットワークアップリンク信号品質パラメータは、端末のLTEネットワークアップリンク信号強度、端末のLTEネットワークアップリンク信号対雑音比、または端末のアップリンクパケットロスレートのうちの少なくとも1つを含む。
【０３６２】
必要に応じて、本発明のいくつかの可能な実施方式においては、端末のLTEネットワークダウンリンク信号品質パラメータは、端末のLTEネットワークダウンリンク信号強度、端末のLTEネットワークダウンリンク信号対雑音比、または端末のLTEネットワークダウンリンクパケットロスレートのうちの少なくとも1つを含む。
【０３６３】
必要に応じて、本発明のいくつかの可能な実施方式においては、
プロセッサ1220は、VoLTEサービスを確立するように命令するユーザ命令を受信した後に、端末1200のLTEネットワークダウンリンク信号品質パラメータを取得するために、LTEネットワークダウンリンク信号品質を測定するようにさらに構成される。
【０３６４】
必要に応じて、本発明のいくつかの可能な実施方式においては、プロセッサは、回線交換ドメインにおいてVoLTEサービスの被呼端末に発呼する前に、端末が回線交換ドメインに登録済みであったと決定するようにさらに構成される。
【０３６５】
必要に応じて、本発明のいくつかの可能な実施方式においては、プロセッサは、回線交換ドメインにおいてVoLTEサービスの被呼端末に発呼する前に、端末が回線交換ドメインに登録済みではなかった場合には、回線交換ドメインに登録するようにさらに構成される。
【０３６６】
必要に応じて、本発明のいくつかの可能な実施方式においては、端末によって、回線交換ドメインに登録することは、端末によって、複合アタッチ方式で回線交換ドメインに登録すること、または、端末によって、リセレクションプロセスにより回線交換ドメインにキャンプオンし、回線交換ドメインに登録することを含む。
【０３６７】
必要に応じて、本発明のいくつかの可能な実施方式においては、プロセッサは、回線交換ドメインにおいてVoLTEサービスの被呼端末に発呼する前に、回線交換ドメインのネットワーク信号品質が音声サービスを満足していると決定するようにさらに構成される。
【０３６８】
必要に応じて、本発明のいくつかの可能な実施方式においては、端末は、ネットワークインターフェースをさらに含み、ネットワークインターフェースは、プロセッサが回線交換ドメインにおいてVoLTEサービスの被呼端末に発呼する前に、通知メッセージをLong Term Evolutionネットワークから受信するように構成され、通知メッセージは、端末のLong Term Evolutionネットワークアップリンク信号品質パラメータおよび/またはLong Term Evolutionネットワークダウンリンク信号品質パラメータを搬送し、通知メッセージは、端末のLong Term Evolutionネットワーク信号品質がVoLTEサービスを満足することができないと決定するためにプロセッサによって使用される。
【０３６９】
必要に応じて、本発明のいくつかの可能な実施方式においては、通知メッセージは、Long Term Evolutionネットワークのアクセスネットワークデバイスからのものである。
【０３７０】
本実施形態における端末1200(通信端末とも称し得る)の機能モジュールの機能は前述の方法の実施形態における方法に従って特に実装され得ることを理解されよう。具体的な実施形態のプロセスについては、方法の実施形態における関連する説明を参照されたい、そのためその詳細を本明細書では再び説明しない。
【０３７１】
図13を参照すれば、本発明の実施形態は、通信システムをさらに提供しており、通信システムは、
コアネットワークデバイス1310およびアクセスネットワークデバイス1320を含み、アクセスネットワークデバイス1320は、本発明の実施形態において提供したアクセスネットワークデバイスのうちのいずれか1つである。
【０３７２】
図14を参照すれば、本発明の実施形態は、コアネットワークデバイス1400を提供しており、コアネットワークデバイス1400は、
ネットワークインターフェース1410、メモリ1440、およびプロセッサ1420を含む。
【０３７３】
メモリ1440は、リードオンリーメモリおよびランダムアクセスメモリを含み、命令およびデータをプロセッサ1420に提供し得る。加えて、メモリ1440の一部は、不揮発性ランダムアクセスメモリをさらに含み得る。
【０３７４】
プロセッサ1420は、コアネットワークデバイス1400の動作を主に制御し、プロセッサ1420は、中央処理ユニット(CPU、Central Processing Unit)とも称し得る。メモリ1440は、リードオンリーメモリおよびランダムアクセスメモリを含み、命令およびデータをプロセッサ1420に提供し得る。メモリ1440の一部は、不揮発性ランダムアクセスメモリ(NVRAM)をさらに含み得る。具体的な適用においては、ネットワークデバイス1400のコンポーネントは、バスシステム1450を使用してともに接続されており、バスシステム1450は、データバスに加えて、電力バス、制御バス、状態信号バスなどを含み得る。しかしながら、明確な説明を目的として、図中の様々なタイプのバスはすべて、バスシステム1450として示している。
【０３７５】
プロセッサ1420は、例えば、通知メッセージを生成するように構成され得る。
【０３７６】
ネットワークインターフェース1410は、VoLTEサービスのベアラセットアップ要求メッセージをアクセスネットワークデバイスに送信し、通知メッセージをアクセスネットワークデバイスに送信するように構成され、通知メッセージは、VoLTEサービスの端末が回線交換ドメインに登録済みであったことを示すために使用される指示情報を搬送し、通知メッセージは、VoLTEサービスの端末の信号品質がVoLTEサービスを満足することができないと決定した場合には、ベアラセットアップ要求メッセージが拒否される前に、端末が回線交換ドメインに登録済みであったと決定するためにアクセスネットワークデバイスによって使用される。
【０３７７】
コアネットワークデバイスは、例えば、MMEであり得し、アクセスネットワークデバイスは、例えば、eNBであり得る。
【０３７８】
前述の実施形態においては、各実施形態の説明は個別の重点的説明を有している。実施形態において詳細に説明していない部分については、他の実施形態における関連説明を参照されたい。
【０３７９】
説明を簡潔にするために、前述の方法の実施形態を一連のアクションとして表していることに留意されたい。ただし、本発明によれば、一部のステップを他のシーケンスで行っても同時に行ってもよいため、本発明が説明したアクションシーケンスに限定されないことを当業者は諒解すべきである。加えて、本明細書において説明したすべての実施形態は事例的な実施形態であり、関連アクションおよびモジュールが本発明にとって必ずしも必須ではないことも当業者は諒解すべきである。
【０３８０】
本願において提供したいくつかの実施形態においては、開示した装置を他の方式で実装してもよいことを理解されたい。例えば、説明した装置の実施形態は一例に過ぎない。例えば、ユニット分割は、論理機能分割に過ぎず、実際の実施形態においては他の分割であってもよい。例えば、複数のユニットまたはコンポーネントを組み合わせても別のシステムと統合してもよいし、またはいくつかの特徴を無視しても行わなくてもよい。加えて、図示または記載した相互接続または直接接続または通信接続は、いくつかのインターフェースを介して実施されてもよい。装置間またはユニット間の間接接続または通信接続は、電子的または他の形式で実施されてもよい。
【０３８１】
別個の部分として説明したユニットは、物理的に別個のものであってもなくてもよいし、ユニットとして表示した部分は、物理ユニットであってもなくてもよいし、一ヶ所に配置されていてもよいし、または複数のネットワークユニットに分散されていてもよい。ユニットの一部またはすべてを、実施形態のソリューションの目的を達成するために実際の要求に従って選択してもよい。
【０３８２】
加えて、本発明の実施形態における機能ユニットが1つの処理ユニットに統合されてもよいし、またはユニットの各々が物理的に単独で存在してもよいし、または2つ以上のユニットが1つのユニットに統合されている。統合したユニットを、ハードウェアの形式で実装してもよいし、またはソフトウェア機能ユニットの形式で実装してもよい。
【０３８３】
前述の統合したユニットを、ソフトウェア機能ユニットの形式で実装し、独立した製品として販売または使用する場合には、統合したユニットは、コンピュータ可読記憶媒体に記憶され得る。そのような理解に基づいて、基本的に、本発明の技術的ソリューション、または従来技術に貢献する部分、または技術的ソリューションのすべてもしくは一部は、ソフトウェア製品の形式で実装されてもよい。ソフトウェア製品は、記憶媒体に記憶され、本発明の実施形態において説明した前述の方法のステップのすべてまたは一部を行うように(パーソナルコンピュータ、サーバ、またはネットワークデバイスであり得る、特に、コンピュータデバイス内のプロセッサであり得る)コンピュータデバイスに命令するためのいくつかの命令を含む。前述の記憶媒体は、USBフラッシュドライブ、リムーバブルハードディスク、磁気ディスク、光ディスク、リードオンリーメモリ(ROM、Read-Only Memory)、またはランダムアクセスメモリ(RAM、Random Access Memory)などといった、プログラムコードを記憶することができる任意の媒体を含む。
【０３８４】
前述の実施形態は、本発明の技術的ソリューションを説明することを意図しているに過ぎず、本発明を限定することは意図していない。本発明を前述の実施形態を参照して詳細に説明したが、本発明の実施形態の技術的ソリューションの範囲を逸脱しない限り、前述の実施形態において説明した技術的ソリューションに対して修正をさらにしてもよいし、またはその一部の技術的特徴に対して均等物による置換をさらにしてもよいことを当業者は理解すべきである。
【符号の説明】
【０３８５】
1000  アクセスネットワークデバイス
1010  ネットワークインターフェース
1020  プロセッサ
1040  メモリ
1100  端末
1110  レシーバ
1120  プロセッサ
1130  トランスミッタ
1140  メモリ
1200  端末
1210  ネットワークインターフェース
1220  プロセッサ
1230  ユーザインターフェース
1240  メモリ
1400  コアネットワークデバイス
1410  ネットワークインターフェース
1420  プロセッサ
1440  メモリ
【図１−ａ】
0006771547.tif 000002
【図１−ｂ】
0006771547.tif 000003
【図２】
0006771547.tif 000004
【図３】
0006771547.tif 000005
【図４】
0006771547.tif 000006
【図５】
0006771547.tif 000007
【図６】
0006771547.tif 000008
【図７】
0006771547.tif 000009
【図８】
0006771547.tif 000010
【図９】
0006771547.tif 000011
【図１０】
0006771547.tif 000012
【図１１】
0006771547.tif 000013
【図１２】
0006771547.tif 000014
【図１３】
0006771547.tif 000015
【図１４】
0006771547.tif 000016